(57)【要約】      （修正有）【課題】頭髪用の櫛の長手方向に平行な直線を基線とした場合に、頭髪のパネルの短手方向に平行な直線と基線のなす角度を４５°前後として頭髪のパネルを梳いていく際に、最も抵抗感が少なく作業し易い構成の頭髪用の櫛を提供する。【解決手段】頭髪用の櫛の長手方向に平行な直線を基線とした場合に、歯の長手方向の軸線が基線に対してなす角度のうち鋭角の方の角度が歯の全体数の３分の１以上の数の歯において３５°〜７５°の範囲内、さらには４０°〜７０°の範囲内である頭髪用の櫛。【選択図】図１
2007020692.tif 000002
【特許請求の範囲】
【請求項１】
複数の歯を有し全体形状が薄い板状の頭髪用の櫛において、櫛の長手方向に平行な直線を基線とした場合に、歯の長手方向の軸線が基線に対してなす角度のうち鋭角の方の角度が歯の全体数の３分の１以上の数の歯において３５°〜７５°の範囲内であることを特徴とする頭髪用の櫛。
【請求項２】
複数の歯を有し全体形状が薄い板状の頭髪用の櫛において、櫛の長手方向に平行な直線を基線とした場合に、歯の長手方向の軸線が基線に対してなす角度のうち鋭角の方の角度が歯の全体数の３分の１以上の数の歯において４０°〜７０°の範囲内であることを特徴とする請求項１に記載の頭髪用の櫛。
【請求項３】
歯の長手方向の軸線が基線に対してなす角度のうち鋭角の方の角度が歯の全体数の３分の１以上の数の歯において同一であることを特徴とする請求項１あるいは請求項２に記載の頭髪用の櫛。
【請求項４】
歯の長手方向の軸線が基線に対してなす角度のうち鋭角の方の角度が歯の全体数の３分の１以上の数の歯において櫛の手元から先端に向かうに従って漸減するように構成されていることを特徴とする請求項１あるいは請求項２あるいは請求項３に記載の頭髪用の櫛。
【請求項５】
複数の歯を有し全体形状が薄い板状の頭髪用の櫛であって、略中央から一方の端部までが歯並びが疎なる部分として構成され、略中央からもう一方の端部までが歯並びが密なる部分として構成されている頭髪用の櫛において、歯並びが疎なる部分にて歯の長手方向の軸線が基線に対してなす角度のうち鋭角の方の角度が歯並びが疎なる部分の歯の全体数の３分の１以上の数の歯において中央から端部に向かうに従って漸減するように構成されていることを特徴とする請求項１あるいは請求項２あるいは請求項３に記載の頭髪用の櫛。
【請求項６】
複数の歯を有し全体形状が薄い板状の頭髪用の櫛であって、略中央から一方の端部までが歯並びが疎なる部分として構成され、略中央からもう一方の端部までが歯並びが密なる部分として構成されている頭髪用の櫛において、歯並びが密なる部分にて歯の長手方向の軸線が基線に対してなす角度のうち鋭角の方の角度が歯並びが密なる部分の歯の全体数の３分の１以上の数の歯において中央から端部に向かうに従って漸減するように構成されていることを特徴とする請求項１あるいは請求項２あるいは請求項３に記載の頭髪用の櫛。
【請求項７】
複数の歯を有し全体形状が薄い板状の頭髪用の櫛であって、略中央から一方の端部までが歯並びが疎なる部分として構成され、略中央からもう一方の端部までが歯並びが密なる部分として構成されている頭髪用の櫛において、櫛の略中央の部分に歯が形成されていない平板状の把持部が構成されていることを特徴とする請求項１あるいは請求項２あるいは請求項３あるいは請求項５あるいは請求項６に記載の頭髪用の櫛。
【発明の詳細な説明】
【技術分野】
【０００１】
本発明は、頭髪用の櫛に関するものであり、さらに詳しくは、複数の歯を有し全体形状が薄い板状の頭髪用の櫛において、櫛の長手方向に平行な直線を基線とした場合に、歯の長手方向の軸線が基線に対してなす角度のうち鋭角の方の角度が歯の全体数の３分の１以上の数の歯において３５°〜７５°の範囲内、さらには４０°〜７０°の範囲内であることを特徴とする頭髪用の櫛に関するものである。
【背景技術】
【０００２】
従来の頭髪用の櫛の例を図２９ａ〜図３１ｂに示す。図２９ａ、図２９ｂに示すのは、通称「荒櫛」と呼ばれる櫛ａで、図２９ａには櫛ａの右側面図を、図２９ｂには櫛ａの正面図を示している。
【０００３】
櫛ａは、全体形状が薄い板状で、複数の歯ｈ、ｈ、…が植設された作用部ａｆと施術者（図示せず）が手に把握する柄部ａｇが一体として構成されている。櫛ａは、全体が一体として構成されており、材質は硬質樹脂製が多いが、木製や金属製もある。なお、施術者という言葉の意味については後ほど詳しく述べる。
【０００４】
櫛ａは、「荒櫛」と呼称されるとおり、理美容においてまず被術者（図示せず）の頭髪を大まかに梳るために用いられるものであり、隣接する歯ｈ、ｈの間隔は荒めである。このタイプの櫛は、毛染め用の櫛として用いられることもある。
【０００５】
櫛ａの歯ｈ、ｈ、…は、通常櫛ａの長手方向に平行な直線を基線ｘとした場合に、基線ｘに対して９０°の角度をなすように植設されている。すなわち、図２９ａに見るように、歯ｈの長手方向の軸線をｙとした場合に、基線ｘと軸線ｙが直交するように構成されているのが普通である。なお、基線ｘは、このタイプの櫛の場合には、作用部ａｆの前端下部ａｆａと後端下部ａｆｂを結ぶ直線として構成されるものである。
【０００６】
従来の頭髪用の櫛の別の例を図３０ａ、図３０ｂに示す。図３０ａ、図３０ｂに示すのは、通称「カッティングコーム」と呼ばれる櫛で、図３０ａには比較的細長いタイプの櫛ｂの右側面図を、図３０ｂには背の部分が丸みを帯びたタイプの櫛ｃの右側面図を示している。
【０００７】
櫛ｂは、全体形状が薄い板状で、略中央から一方の端部まで複数の歯ｈ１、ｈ１、…が比較的疎の状態で植設された歯並びが疎なる部分である疎歯部ｂｒと略中央から他方の端部まで複数の歯ｈ２、ｈ２、…が比較的蜜の状態で植設された歯並びが密なる部分である密歯部ｂｄが一体として構成されている。櫛ｂは、全体が一体として構成されており、材質は櫛ａと同様硬質樹脂製が多いが、木製や金属製もある。
【０００８】
櫛ｂは、「カッティングコーム」と呼称されるとおり、理美容において被術者（図示せず）の頭髪を図示しないレザー（剃刀）あるいはシザーズ（鋏）でカットする前段階として頭髪を梳るために用いられるものであり、まず疎歯部ｂｒにて被術者（図示せず）の頭髪を大まかに梳って整え、さらに密歯部ｂｄにて被術者（図示せず）の頭髪を綿密に梳って整え、しかるのちに図示しないレザー（剃刀）あるいは図示しないシザーズ（鋏）を用いるものである。
【０００９】
疎歯部ｂｒにては隣接する歯ｈ１、ｈ１の間隔は比較的荒めであり、また、歯ｈ１、ｈ１…は、通常櫛ｂの長手方向に平行な直線を基線ｘとした場合に、基線ｘに対して９０°の角度をなすように植設されている。一方密歯部ｂｄにては隣接する歯ｈ２、ｈ２の間隔は比較的密であり、歯ｈ２、ｈ２、…は、通常櫛ｂの長手方向に平行な直線を基線ｘとした場合に、基線ｘに対して９０°の角度をなすように植設されている。
【００１０】
すなわち、図３０ａに見るように、歯ｈ１の長手方向の軸線をｙ１、歯ｈ２の長手方向の軸線をｙ２とした場合に、基線ｘと軸線ｙ１が直交し、基線ｘと軸線ｙ２も直交するように構成されているのが普通である。なお、基線ｘは、このタイプの櫛の場合には、前端下部ｂ１と後端下部ｂ２を結ぶ直線として構成されるものである。
【００１１】
次に、図３０ｂに示す櫛ｃは、全体形状が薄い板状で背が丸みを帯び、略中央から一方の端部まで複数の歯ｈ１、ｈ１、…が比較的疎の状態で植設された歯並びが疎なる部分ｃｒと略中央から他方の端部まで複数の歯ｈ２、ｈ２、…が比較的蜜の状態で植設された歯並びが密なる部分ｃｄが一体として構成されている。櫛ｃは、全体が一体として構成されており、材質は櫛ａ、櫛ｂと同様硬質樹脂製が多いが、木製や金属製もある。
【００１２】
櫛ｃも、「カッティングコーム」と呼称されるとおり、理美容において被術者（図示せず）の頭髪（図示せず）を図示しないレザー（剃刀）あるいは図示しないシザーズ（鋏）でカットする前段階として頭髪を梳るために用いられるものであり、用い方は櫛ｂと略同様である。
【００１３】
疎なる部分ｃｒにては隣接する歯ｈ１、ｈ１の間隔は比較的荒めであり、また、歯ｈ１、ｈ１、…は、通常櫛ｃの長手方向に平行な直線を基線ｘとした場合に、基線ｘに対して９０°の角度をなすように植設されている。一方密なる部分ｃｄにては隣接する歯ｈ２、ｈ２の間隔は比較的密であり、歯ｈ２、ｈ２、…は、通常櫛ｃの長手方向に平行な直線を基線ｘとした場合に、基線ｘに対して９０°の角度をなすように植設されている。
【００１４】
すなわち、図３０ｂに見るように、歯ｈ１の長手方向の軸線をｙ１、歯ｈ２の長手方向の軸線をｙ２とした場合に、基線ｘと軸線ｙ１が直交し、基線ｘと軸線ｙ２も直交するように構成されているのが普通である。なお、基線ｘは、このタイプの櫛の場合には、前端下部ｃ１と後端下部ｃ２を結ぶ直線として構成されるものである。
【００１５】
従来の頭髪用の櫛のさらに別の例を図３１ａ、図３１ｂに示す。図３１ａ、図３１ｂに示すのは、通称「毛染め用櫛」と呼ばれる櫛ｄで、図３１ａには櫛ｄの右側面図を、図３１ｂには櫛ｄの正面図を示している。
【００１６】
櫛ｄは、正面からみた形状は薄い板状で、作用部ｄｆと施術者（図示せず）が手に把握する棒状の柄部ｄｇが一体として構成されている。作用部ｄｆの上面には複数の歯ｈ、ｈ、…が植設され、作用部ｄｆの下面には柔毛からなるブラシｂｓが植設されている。櫛ｄは、ブラシｂｓを除く他の部分全てが一体として構成されており、材質は硬質樹脂製が多いが、木製や金属製もある。なお、ブラシｂｓは通常合成繊維製や樹脂製の細い線材からなっている。
【００１７】
櫛ｄは、「毛染め用櫛」と呼称されるとおり、理美容において被術者の頭髪（図示せず）を染めるために用いられるものであり、複数の歯ｈ、ｈ、…で被術者の頭髪（図示せず）を梳り、さらにブラシｂｓに染色剤を載置して、ブラシｂｓにて被術者の頭髪（図示せず）に染色剤を塗布する。この作業は繰り返し行われる。梳る作用と染色作用が１本の櫛でできるところから、理美容界においては、現在、このタイプの櫛は、毛染め用の櫛として広く用いられている。
【００１８】
櫛ｄの歯ｈ、ｈ、…は、通常櫛ｄの長手方向に平行な直線を基線ｘとした場合に、基線ｘに対して９０°の角度をなすように植設されている。すなわち、図３１ａに見るように、歯ｈの長手方向の軸線をｙとした場合に、基線ｘと軸線ｙが直交するように構成されているのが普通である。なお、基線ｘは、このタイプの櫛の場合には、作用部ｄｆの後部の数本の歯を除く大部分の歯ｈ、ｈ、…の先端を結ぶ直線として構成されるものであり、この直線ｘは、また歯ｈ、ｈ、…の根元を結ぶ直線ｚと平行となっている。
【００１９】
従来の頭髪用の櫛の作用を図３２ａに示す。図３２ａは、理美容業界において普通に行われている櫛ａの用い方を現したもので、施術者ＡＣ（手のみ図示）は被術者ＰＡの頭髪の束を適当量左手ＬＨの人差指と中指の間に挟んで引張させるが、この動作を、通常「パネルを取る」と称し、引張させられて平板状となった頭髪の束をパネルＰと称する。なおＲＨは右手である。また、施術者ＡＣは、通常は理容師あるいは美容師であるが、理容師見習いあるいは美容師見習いの者（理美容関連の教育施設の生徒も含む）も含まれる。すなわち、業として理美容をなす者、あるいは業として理美容をなさんとするものを全て含んだ意味にて用いるものである。
【００２０】
櫛ａにて梳る作業はまずこの「パネルを取る」作業が前提となるが、その詳しい状態を図３２ｂに示す。図３２ｂに示すように、通常パネルＰは極めて薄い平板状となり、施術者ＡＣはパネルＰを手前側（方向ｄ１）に引くことにより引張させ、図３２ａに示すように櫛ａを当てて梳る。鋏や剃刀（共に図示せず）による切断は、すべて、このパネルＰを取って梳り整えてから行われるので、パネルＰを梳る作業はその後の全ての作業の基礎となる重要な作業である。
【００２１】
パネルＰを梳る作業を真上から見下ろすと図３３ａに示したような状態となる。今、パネルＰの短手方向に平行な直線をＬ１、パネルＰの長手方向に平行な直線をＬ２とすると、櫛ａの基線ｘと歯ｈの軸線ｙは直交するので、直線Ｌ１と基線ｘの作る角度η１と直線Ｌ２と軸線ｙの作る角度η２は常に等しくなる。
【００２２】
角度η１は、施術者ＡＣが櫛ａをパネルＰに当てる角度であり、理美容業界では長年の技術的蓄積から角度η１を４５°前後とするのが理想的とされており、熟練者が未熟練者を指導する際には、角度η１を４５°前後とするように指導がなされるのが通常である。しかしながら、角度η１に関しては、理美容師の夫々の個人的な癖等により、実際の現場にては１５°〜５５°くらいの範囲で作業が行われているケースが多い。
【００２３】
また、櫛ａをパネルＰに入れて梳いていく方向に関しても、真上から見て直線Ｌ２に平行となる方向ｄ２が理想とされ、この方向ｄ２に沿って櫛ａをパネルＰに入れて梳いていくように指導がなされる。しかしながら、実際の現場にては、理美容師の夫々の個人的な癖等により櫛ａの手元部分がやや弧を描いて方向ｄ３のように櫛ａがパネルＰに入れられる場合も多々あるのが現状である。
【００２４】
すなわち、パネルＰを梳る作業は、理美容師の夫々の個人的な技術の習熟により夫々の理美容師において角度η１と方向ｄ２あるいは方向ｄ３が定まってくるものであるが、当初、熟練者が未熟練者に教習を行う際には、角度η１を４５°前後に保ちパネルＰの長手方向に沿って、すなわち方向ｄ２を真上から見て直線Ｌ２に平行にして、櫛ａをパネルＰに入れて梳いていくという形で技術が伝授されるのが通常である。
【００２５】
この状態を、真横から見ると、図３３ｂに示すようになる。すなわち、真横から見た場合にも、櫛ａをパネルＰに入れる角度η３が４５°となるのが理想的とされる。すなわち、櫛ａをパネルＰに入れて梳いていく方向ｄ２は真横から見た場合には、直線Ｌ２に対して４５°前後の傾きを保つのが理想とされ、そのように教授されている。そして、この角度η３はまた直線Ｌ２と基線ｘの作る角度ともなっている。
【００２６】
しかるに、角度η１、η２、η３を４５°前後に保ちパネルＰの長手方向に沿って、すなわち図３３ａにて方向ｄ２を直線Ｌ２に平行に保ち、図３３ｂにて方向ｄ２を直線Ｌ２に対して４５°に保ちつつ櫛ａをパネルＰに入れて梳いていくという作業には、櫛ａの構造からくる一つの障害が存しており、この障害を取り除くことにより、上記作業はさらに円滑に行えるものであることが長年の技術教授体験から明らかとなってきた。
【００２７】
この事情を、図３４〜図３６にて詳細に説明する。図３４は、図３３ａにて、櫛ａの作用部ａｆがパネルＰに入れられる直前の様子を拡大して示したものであるが、角度η１を４５°とした場合、櫛ａの基線ｘと歯ｈの軸線ｙは直交しているので、角度η２も４５°となることは前述のとおりである。
【００２８】
ということは、櫛ａの歯ｈ、ｈ、…は、真上から見て４５°の角度を以ってパネルＰに入れられていくということであるが、この際に、歯ｈ、ｈ、…の先端部と根元にて、歯ｈ、ｈ、…とパネルＰを構成する１本１本の頭髪ｐ、ｐ、…がどのような状態となるかを詳しく見たのが図３５、図３６である。
【００２９】
図３５は、歯ｈｃがパネルＰに当接した瞬間を示しており、歯ｈｃより先端側にある歯ｈａ、ｈｂはまだパネルＰに当接していない。逆に、歯ｈｃより手元側にある歯ｈｄ、ｈｅ、ｈｆ、ｈｇ、ｈｈはすでにパネルＰの中に入り、梳る作業が進行中である。
【００３０】
この状態にて、歯ｈｃはパネルＰに当接したばかりなので、先端部分にてパネルＰを構成する頭髪ｐ、ｐ、…を少し押し広げている状態である。しかるに、歯ｈｃより１本手元側の歯ｈｄは、パネルＰに当接して少し分け入った段階であるので、先端部分に頭髪ｐ、ｐ、…が押されて乱れた状態となる。先端部分に係止された頭髪ｐ、ｐ、…はさらに挿入が進めば隣接する歯ｈｅのような状態となり、さらには歯ｈｆ、ｈｇ、ｈｈのような状態となっていく。
【００３１】
このように、歯ｈａ〜ｈｈの軸線ｙがパネルＰの長手方向に平行な直線Ｌ２に対してη２（＝４５°）に傾いているので、歯ｈａ〜ｈｈがパネルＰに当接し挿入されていく際に、頭髪ｐ、ｐの整列を乱しつつ挿入されざるを得ないことになり、したがって、施術者ＡＣ（図３３ａ参照）の側には手元にそれだけの抵抗感を感じることになる。
【００３２】
また、図３６は、櫛ａの歯ｈ、ｈ、…の根元の部分を拡大した状態で、パネルＰを梳っている様子を示している。この際、頭髪ｐ、ｐ、…は束となって歯ｈ、ｈ、…の根元の凹部ｈｚ、ｈｚ、…を通過することにより櫛ａの表側から裏側に抜けていくが、その際に、歯ｈの軸線ｙがパネルＰの長手方向と平行な直線Ｌ２に対してη２（＝４５°）の角度を有しているために、根元の凹部ｈｚ、ｈｚ、…においてクランク状に屈曲される形となり、この部分において大きな抵抗感を生じる。
【００３３】
このように、まず歯ｈ、ｈ、…の先端部分において大きな抵抗感が生じ、さらに歯ｈ、ｈ、…の根元の凹部ｈｚ、ｈｚ、…においても大きな抵抗感が発生するので、施術者ＡＣ（図３３ａ参照）は、櫛ａを理想とされる角度（η１、η２、η３がすべて４５°）でパネルＰに入れた場合にこの２重の抵抗感を感じざるをえなかった。この点が、前に障害として述べたことの詳細な内容である。
【００３４】
もしも、歯ｈａ〜ｈｈの軸線ｙがパネルＰの長手方向に平行な直線Ｌ２に対して有する角度η２が０°となれば、上記の２つの抵抗感は極めて僅かとなり、上記障害は殆ど解消されるはずであるが、従来の頭髪用の櫛にては、図２９〜図３０に示すように、基線ｘに対して歯ｈ（歯ｈ１、ｈ２）の軸線ｙがなす角度が９０°となっているものが多く、このタイプの櫛を理想とされる角度（η１、η２、η３がすべて４５°）でパネルＰに入れた場合には、どうしても上記障害が起こってくるのを避けることはできなかった。
【００３５】
従来の頭髪用の櫛にても基線に対して歯がなす角度のうち鋭角の方の角度が８０°程度のもの（図示せず）は存在したが、やはり、上記障害を完全に克服するまでには至っていないのが現状である。
【００３６】
なお、下記特許文献１には、櫛刃の両側面を刃身の長手方向に対して傾けて形成した理美容用のすき鋏が開示されているが、これは、あくまで櫛刃の両側面を刃身の長手方向に対して傾けるという技術内容であって、櫛刃そのものを刃身の長手方向に対して傾けるというものではない。
【特許文献１】特開平９‐３０８７７８号公報
【発明の開示】
【発明が解決しようとする課題】
【００３７】
以上より、本発明が解決しようとする課題を次のように設定した。
＜課題１＞
複数の歯を有し全体形状が薄い板状の頭髪用の櫛において、櫛の長手方向に平行な直線を基線とした場合に、頭髪のパネルの短手方向に平行な直線と基線のなす角度を４５°として頭髪のパネルを梳いていく際に、頭髪のパネルを真上から見た場合に櫛の歯の長手方向の軸線が頭髪のパネルの長手方向に平行となるような頭髪用の櫛を開発する。
＜課題２＞
頭髪のパネルの短手方向に平行な直線と基線のなす角度は４５°とするのが理想的であるが、実際には理美容師の夫々によりこの角度には癖や好みがあり、概ね１５°〜５５°の範囲となるので、頭髪のパネルの短手方向に平行な直線と基線のなす角度を１５°〜５５°の範囲とした場合に、頭髪のパネルを真上から見た場合に櫛の歯の長手方向の軸線が頭髪のパネルの長手方向に平行となるような頭髪用の櫛を開発する。
＜課題３＞
上記１５°〜５５°の範囲中、多くの理美容師は実際には２０°〜５０°の範囲で作業をしていることが多いので、頭髪のパネルの短手方向に平行な直線と基線のなす角度を２０°〜５０°の範囲とした場合に、頭髪のパネルを真上から見た場合に櫛の歯の長手方向の軸線が頭髪のパネルの長手方向に平行となるような頭髪用の櫛を開発する。
＜課題４＞
また、理美容師の中には、頭髪用の櫛の全体を平行移動させるのではなく、手元部分をやや円弧を描くように用いる者も多いので、このような癖あるいは好みのある理美容師にも円滑に使用できるような頭髪用の櫛を開発する。
【課題を解決するための手段】
【００３８】
本発明は上記課題を解決するためになされたものであって、以下に掲げる解決手段を提供するものである。
＜解決手段１＞
複数の歯を有し全体形状が薄い板状の頭髪用の櫛において、櫛の長手方向に平行な直線を基線とした場合に、歯の長手方向の軸線が基線に対してなす角度のうち鋭角の方の角度が歯の全体数の３分の１以上の数の歯において３５°〜７５°の範囲内であることを特徴とする頭髪用の櫛。
＜解決手段２＞
複数の歯を有し全体形状が薄い板状の頭髪用の櫛において、櫛の長手方向に平行な直線を基線とした場合に、歯の長手方向の軸線が基線に対してなす角度のうち鋭角の方の角度が歯の全体数の３分の１以上の数の歯において４０°〜７０°の範囲内であることを特徴とする解決手段１に記載の頭髪用の櫛。
＜解決手段３＞
歯の長手方向の軸線が基線に対してなす角度のうち鋭角の方の角度が歯の全体数の３分の１以上の数の歯において同一であることを特徴とする解決手段１あるいは解決手段２に記載の頭髪用の櫛。
＜解決手段４＞
歯の長手方向の軸線が基線に対してなす角度のうち鋭角の方の角度が歯の全体数の３分の１以上の数の歯において櫛の手元から先端に向かうに従って漸減するように構成されていることを特徴とする解決手段１あるいは解決手段２あるいは解決手段３に記載の頭髪用の櫛。
＜解決手段５＞
複数の歯を有し全体形状が薄い板状の頭髪用の櫛であって、略中央から一方の端部までが歯並びが疎なる部分として構成され、略中央からもう一方の端部までが歯並びが密なる部分として構成されている頭髪用の櫛において、歯並びが疎なる部分にて歯の長手方向の軸線が基線に対してなす角度のうち鋭角の方の角度が歯並びが疎なる部分の歯の全体数の３分の１以上の数の歯において中央から端部に向かうに従って漸減するように構成されていることを特徴とする解決手段１あるいは解決手段２あるいは解決手段３に記載の頭髪用の櫛。
＜解決手段６＞
複数の歯を有し全体形状が薄い板状の頭髪用の櫛であって、略中央から一方の端部までが歯並びが疎なる部分として構成され、略中央からもう一方の端部までが歯並びが密なる部分として構成されている頭髪用の櫛において、歯並びが密なる部分にて歯の長手方向の軸線が基線に対してなす角度のうち鋭角の方の角度が歯並びが密なる部分の歯の全体数の３分の１以上の数の歯において中央から端部に向かうに従って漸減するように構成されていることを特徴とする解決手段１あるいは解決手段２あるいは解決手段３に記載の頭髪用の櫛。
＜解決手段７＞
複数の歯を有し全体形状が薄い板状の頭髪用の櫛であって、略中央から一方の端部までが歯並びが疎なる部分として構成され、略中央からもう一方の端部までが歯並びが密なる部分として構成されている頭髪用の櫛において、櫛の略中央の部分に歯が形成されていない平板状の把持部が構成されていることを特徴とする解決手段１あるいは解決手段２あるいは解決手段３あるいは解決手段５あるいは解決手段６に記載の頭髪用の櫛。
【発明の効果】
【００３９】
本発明の解決手段１の発明によれば、複数の歯を有し全体形状が薄い板状の頭髪用の櫛において、櫛の長手方向に平行な直線を基線とした場合に、歯の長手方向の軸線が基線に対してなす角度のうち鋭角の方の角度が歯の全体数の３分の１以上の数の歯において３５°〜７５°の範囲内であるので、多くの理美容師において頭髪のパネルの短手方向に平行な直線と櫛の基線のなす角度に見合った本発明の解決手段１の発明による櫛を選ぶことにより、歯の全体数の３分の１以上の数の歯において真上から見た場合に歯の長手方向の軸線を頭髪のパネルの長手方向の軸線に揃えることができるので、頭髪のパネルを梳いていく際の抵抗感が著しく低減される。
【００４０】
本発明の解決手段２の発明によれば、複数の歯を有し全体形状が薄い板状の頭髪用の櫛において、櫛の長手方向に平行な直線を基線とした場合に、歯の長手方向の軸線が基線に対してなす角度のうち鋭角の方の角度が歯の全体数の３分の１以上の数の歯において４０°〜７０°の範囲内であることを特徴とする解決手段１に記載の頭髪用の櫛であるので、多くの理美容師の大部分において頭髪のパネルの短手方向に平行な直線と櫛の基線のなす角度に見合った本発明の解決手段２の発明による櫛を選ぶことにより、歯の全体数の３分の１以上の数の歯において真上から見た場合に歯の長手方向の軸線を頭髪のパネルの長手方向の軸線に揃えることができるので、頭髪のパネルを梳いていく際の抵抗感が著しく低減される。
【００４１】
本発明の解決手段３の発明によれば、歯の長手方向の軸線が基線に対してなす角度のうち鋭角の方の角度が歯の全体数の３分の１以上の数の歯において同一であることを特徴とする解決手段１あるいは解決手段２に記載の頭髪用の櫛であるので、真上から見た場合に頭髪のパネルの長手方向と略平行に櫛全体を移動させる理美容師においては、歯の全体数の３分の１以上の数の歯において頭髪のパネルを梳いていく際の抵抗感がさらに低減されるものである。
【００４２】
本発明の解決手段３の発明において、特に、歯の長手方向の軸線が基線に対してなす角度のうち鋭角の方の角度が全ての歯において４５°とした場合には、頭髪のパネルの短手方向に平行な直線と櫛の基線のなす角度を理想的な角度である４５°とした場合に、頭髪のパネルを梳いていく際の抵抗感が最大に削減されるので、頭髪のパネルの短手方向に平行な直線と櫛の基線のなす角度を理想的な角度である４５°として頭髪のパネルを梳る理美容師にとっては最大の滑らかな使用感を与える櫛とすることができる。また、未熟練者においても、頭髪のパネルの短手方向に平行な直線と櫛の基線のなす角度を理想的な角度である４５°とした場合に最も抵抗感が減少することが手に感じられるので、未熟練者において頭髪のパネルの短手方向に平行な直線と櫛の基線のなす角度を理想的な角度である４５°とするための教育的意義を有する道具として用いることもできるものである。
【００４３】
本発明の解決手段４の発明によれば、歯の長手方向の軸線が基線に対してなす角度のうち鋭角の方の角度が歯の全体数の３分の１以上の数の歯において櫛の手元から先端に向かうに従って漸減するように構成されていることを特徴とする解決手段１あるいは解決手段２あるいは解決手段３に記載の頭髪用の櫛であるので、櫛の全体を平行移動させるのではなく、手元部分をやや円弧を描くように用いる理美容師において、頭髪のパネルを梳いていく際の抵抗感がより低減されるものである。
【００４４】
本発明の解決手段５の発明によれば、複数の歯を有し全体形状が薄い板状の頭髪用の櫛であって、略中央から一方の端部までが歯並びが疎なる部分として構成され、略中央からもう一方の端部までが歯並びが密なる部分として構成されている頭髪用の櫛において、歯並びが疎なる部分にて歯の長手方向の軸線が基線に対してなす角度のうち鋭角の方の角度が歯並びが疎なる部分の歯の全体数の３分の１以上の数の歯において中央から端部に向かうに従って漸減するように構成されていることを特徴とする解決手段１あるいは解決手段２あるいは解決手段３に記載の頭髪用の櫛であるので、歯並びが疎なる部分の使用において、櫛の全体を平行移動させるのではなく、手元部分をやや円弧を描くように用いる理美容師にとって、頭髪のパネルを梳いていく際の抵抗感がより低減されるものである。
【００４５】
本発明の解決手段６の発明によれば、複数の歯を有し全体形状が薄い板状の頭髪用の櫛であって、略中央から一方の端部までが歯並びが疎なる部分として構成され、略中央からもう一方の端部までが歯並びが密なる部分として構成されている頭髪用の櫛において、歯並びが密なる部分にて歯の長手方向の軸線が基線に対してなす角度のうち鋭角の方の角度が歯並びが密なる部分の歯の全体数の３分の１以上の数の歯において中央から端部に向かうに従って漸減するように構成されていることを特徴とする解決手段１あるいは解決手段２あるいは解決手段３に記載の頭髪用の櫛であるので、歯並びが密なる部分の使用において、櫛の全体を平行移動させるのではなく、手元部分をやや円弧を描くように用いる理美容師において、頭髪のパネルを梳いていく際の抵抗感がより低減されるものである。
【００４６】
本発明の解決手段７の発明によれば、複数の歯を有し全体形状が薄い板状の頭髪用の櫛であって、略中央から一方の端部までが歯並びが疎なる部分として構成され、略中央からもう一方の端部までが歯並びが密なる部分として構成されている頭髪用の櫛において、櫛の略中央の部分に歯が形成されていない平板状の把持部が構成されていることを特徴とする解決手段１あるいは解決手段２あるいは解決手段３あるいは解決手段５あるいは解決手段６に記載の頭髪用の櫛であるので、櫛を把持する際に櫛の歯を直接持つということがなくなり、把持する指に対する感触も良好であり、かつ櫛の歯の損傷も低減される。
【発明を実施するための最良の形態】
【００４７】
本発明を実施するための最良の形態を、以下に図面を参照しながら詳細に説明する。なお、以下に掲げる実施例１は解決手段１あるいは解決手段２あるいは解決手段３あるいは解決手段４に記載の発明の１実施例であり、実施例２及び実施例３は解決手段１〜解決手段７に記載の発明の１実施例であり、実施例４は解決手段１あるいは解決手段２あるいは解決手段３あるいは解決手段４に記載の発明の１実施例である。
【実施例１】
【００４８】
＜実施例１の構成＞
図１ａ、図１ｂに示すのは、実施例１の櫛１０１で、図１ａには櫛１０１の右側面図を、図１ｂには櫛１０１の正面図を示している。櫛１０１は通称「荒櫛」と呼ばれる分類に入るものである。
【００４９】
櫛１０１は、全体形状が薄い板状で、複数の歯Ｈ、Ｈ、…が植設された作用部１０１Ｆと施術者（図示せず）が手に把握する柄部１０１Ｇが一体として構成されている。櫛１０１は、柄部１０１Ｇと作用部１０１Ｆと作用部１０１Ｆの複数の歯Ｈ、Ｈ、…の全てが一体として構成されており、材質は硬質樹脂製とするが、木製や金属製とすることも無論可能である。
【００５０】
櫛１０１は、前述のように「荒櫛」の分類に入るものであり、理美容においてまず被術者の頭髪（図示せず）を大まかに梳るために用いられる。そのため、隣接する歯Ｈ、Ｈの間隔は荒めである。櫛１０１は、毛染め用の櫛として用いることも可能である。
【００５１】
櫛１０１の歯Ｈ、Ｈ、…は、櫛１０１の長手方向に平行な直線を基線Ｘとした場合に、基線Ｘに対して鋭角の方の角度が角度αをなすように植設されており、櫛１０１にては角度αは全ての歯Ｈ、Ｈ、…について等しく４５°である。すなわち、図１ａに見るように、任意の歯Ｈの長手方向の軸線をＹとした場合に、全ての歯Ｈ、Ｈ、…において基線Ｘと軸線Ｙが角度α（＝４５°）で交わるように構成されており、角度αは図１ａにて軸線Ｙの左側に現れる。なお、基線Ｘは、櫛１０１においては、作用部１０１Ｆの前端下部１０１ａと後端下部１０１ｂを結ぶ直線として構成されるものである。
【００５２】
図２ａに示す櫛１０２は、櫛１０１において４５°であった角度αを７５°とした場合の１例を示すものである。すなわち、櫛１０２の歯Ｈ、Ｈ、…は、櫛１０２の長手方向に平行な直線を基線Ｘとした場合に、基線Ｘに対して鋭角の方の角度が角度αをなすように植設されており、櫛１０２にては角度αは全ての歯Ｈ、Ｈ、…について等しく７５°である。
【００５３】
すなわち、図２ａに見るように、任意の歯Ｈの長手方向の軸線をＹとした場合に、全ての歯Ｈ、Ｈ、…において基線Ｘと軸線Ｙが角度α（＝７５°）で交わるように構成されており、角度αは図２ａにて軸線Ｙの左側に現れる。なお、基線Ｘは、櫛１０２においては、櫛１０１と同様に、作用部１０２Ｆの前端下部１０２ａと後端下部１０２ｂを結ぶ直線として構成されるものである。また、１０２Ｇは柄部である。
【００５４】
図２ｂに示す櫛１０３は、櫛１０１において４５°であった角度αを７０°とした場合の１例を示すものである。すなわち、櫛１０３の歯Ｈ、Ｈ、…は、櫛１０３の長手方向に平行な直線を基線Ｘとした場合に、基線Ｘに対して鋭角の方の角度が角度αをなすように植設されており、櫛１０３にては角度αは全ての歯Ｈ、Ｈ、…について等しく７０°である。
【００５５】
すなわち、図２ｂに見るように、任意の歯Ｈの長手方向の軸線をＹとした場合に、全ての歯Ｈ、Ｈ、…において基線Ｘと軸線Ｙが角度α（＝７０°）で交わるように構成されており、角度αは図２ｂにて軸線Ｙの左側に現れる。なお、基線Ｘは、櫛１０３においては、櫛１０１と同様に、作用部１０３Ｆの前端下部１０３ａと後端下部１０３ｂを結ぶ直線として構成されるものである。また、１０３Ｇは柄部である。
【００５６】
図３ａに示す櫛１０４は、櫛１０１において４５°であった角度αを６５°とした場合の１例を示すものである。すなわち、櫛１０４の歯Ｈ、Ｈ、…は、櫛１０４の長手方向に平行な直線を基線Ｘとした場合に、基線Ｘに対して鋭角の方の角度が角度αをなすように植設されており、櫛１０４にては角度αは全ての歯Ｈ、Ｈ、…について等しく６５°である。
【００５７】
すなわち、図３ａに見るように、任意の歯Ｈの長手方向の軸線をＹとした場合に、全ての歯Ｈ、Ｈ、…において基線Ｘと軸線Ｙが角度α（＝６５°）で交わるように構成されており、角度αは図３ａにて軸線Ｙの左側に現れる。なお、基線Ｘは、櫛１０４においては、櫛１０１と同様に、作用部１０４Ｆの前端下部１０４ａと後端下部１０４ｂを結ぶ直線として構成されるものである。また、１０４Ｇは柄部である。
【００５８】
図３ｂに示す櫛１０５は、櫛１０１において４５°であった角度αを６０°とした場合の１例を示すものである。すなわち、櫛１０５の歯Ｈ、Ｈ、…は、櫛１０５の長手方向に平行な直線を基線Ｘとした場合に、基線Ｘに対して鋭角の方の角度が角度αをなすように植設されており、櫛１０５にては角度αは全ての歯Ｈ、Ｈ、…について等しく６０°である。
【００５９】
すなわち、図３ｂに見るように、任意の歯Ｈの長手方向の軸線をＹとした場合に、全ての歯Ｈ、Ｈ、…において基線Ｘと軸線Ｙが角度α（＝６０°）で交わるように構成されており、角度αは図３ｂにて軸線Ｙの左側に現れる。なお、基線Ｘは、櫛１０５においては、櫛１０１と同様に、作用部１０５Ｆの前端下部１０５ａと後端下部１０５ｂを結ぶ直線として構成されるものである。また、１０５Ｇは柄部である。
【００６０】
図４ａに示す櫛１０６は、櫛１０１において４５°であった角度αを５５°とした場合の１例を示すものである。すなわち、櫛１０６の歯Ｈ、Ｈ、…は、櫛１０６の長手方向に平行な直線を基線Ｘとした場合に、基線Ｘに対して鋭角の方の角度が角度αをなすように植設されており、櫛１０６にては角度αは全ての歯Ｈ、Ｈ、…について等しく５５°である。
【００６１】
すなわち、図４ａに見るように、任意の歯Ｈの長手方向の軸線をＹとした場合に、全ての歯Ｈ、Ｈ、…において基線Ｘと軸線Ｙが角度α（＝５５°）で交わるように構成されており、角度αは図４ａにて軸線Ｙの左側に現れる。なお、基線Ｘは、櫛１０６においては、櫛１０１と同様に、作用部１０６Ｆの前端下部１０６ａと後端下部１０６ｂを結ぶ直線として構成されるものである。また、１０６Ｇは柄部である。
【００６２】
図４ｂに示す櫛１０７は、櫛１０１において４５°であった角度αを５０°とした場合の１例を示すものである。すなわち、櫛１０７の歯Ｈ、Ｈ、…は、櫛１０７の長手方向に平行な直線を基線Ｘとした場合に、基線Ｘに対して鋭角の方の角度が角度αをなすように植設されており、櫛１０７にては角度αは全ての歯Ｈ、Ｈ、…について等しく５０°である。
【００６３】
すなわち、図４ｂに見るように、任意の歯Ｈの長手方向の軸線をＹとした場合に、全ての歯Ｈ、Ｈ、…において基線Ｘと軸線Ｙが角度α（＝５０°）で交わるように構成されており、角度αは図４ｂにて軸線Ｙの左側に現れる。なお、基線Ｘは、櫛１０７においては、櫛１０１と同様に、作用部１０７Ｆの前端下部１０７ａと後端下部１０７ｂを結ぶ直線として構成されるものである。また、１０７Ｇは柄部である。
【００６４】
図５ａに示す櫛１０８は、櫛１０１において４５°であった角度αを４０°とした場合の１例を示すものである。すなわち、櫛１０８の歯Ｈ、Ｈ、…は、櫛１０８の長手方向に平行な直線を基線Ｘとした場合に、基線Ｘに対して鋭角の方の角度が角度αをなすように植設されており、櫛１０８にては角度αは全ての歯Ｈ、Ｈ、…について等しく４０°である。
【００６５】
すなわち、図５ａに見るように、任意の歯Ｈの長手方向の軸線をＹとした場合に、全ての歯Ｈ、Ｈ、…において基線Ｘと軸線Ｙが角度α（＝４０°）で交わるように構成されており、角度αは図５ａにて軸線Ｙの左側に現れる。なお、基線Ｘは、櫛１０８においては、櫛１０１と同様に、作用部１０８Ｆの前端下部１０８ａと後端下部１０８ｂを結ぶ直線として構成されるものである。また、１０８Ｇは柄部である。
【００６６】
図５ｂに示す櫛１０９は、櫛１０１において４５°であった角度αを３５°とした場合の１例を示すものである。すなわち、櫛１０９の歯Ｈ、Ｈ、…は、櫛１０９の長手方向に平行な直線を基線Ｘとした場合に、基線Ｘに対して鋭角の方の角度が角度αをなすように植設されており、櫛１０９にては角度αは全ての歯Ｈ、Ｈ、…について等しく３５°である。
【００６７】
すなわち、図５ｂに見るように、任意の歯Ｈの長手方向の軸線をＹとした場合に、全ての歯Ｈ、Ｈ、…において基線Ｘと軸線Ｙが角度α（＝３５°）で交わるように構成されており、角度αは図５ｂにて軸線Ｙの左側に現れる。なお、基線Ｘは、櫛１０９においては、櫛１０１と同様に、作用部１０９Ｆの前端下部１０９ａと後端下部１０９ｂを結ぶ直線として構成されるものである。また、１０９Ｇは柄部である。
【００６８】
図６ａに示す櫛１１０は、櫛１０１において４５°であった角度αを、夫々の歯Ｈ、Ｈ、…において７０°〜５０°の範囲で変化させた場合の１例を示すものである。すなわち、櫛１１０の歯Ｈ、Ｈ、…は、櫛１１０の長手方向に平行な直線を基線Ｘとした場合に、基線Ｘに対して任意の歯Ｈの長手方向の軸線Ｙが交差する際に生じる角度のうち鋭角の方の角度が角度αをなすように植設されており、角度αは図６ａにて軸線Ｙの左側に現れる。
【００６９】
櫛１１０にては角度αは、作用部１１０Ｆの後端（手元側）の歯Ｈにおいて７０°であり、作用部１１０Ｆの中間部の歯Ｈ、Ｈ、…においては前方（先端側）の歯Ｈほど角度αが漸減し、作用部１１０Ｆの前端（先端側）の歯Ｈにおいて角度αは５０°となる。なお、基線Ｘは、櫛１１０においては、櫛１０１と同様に、作用部１１０Ｆの前端下部１１０ａと後端下部１１０ｂを結ぶ直線として構成されるものである。また、１１０Ｇは柄部である。
【００７０】
図６ｂに示す櫛１１１は、櫛１０１において４５°であった角度αを、夫々の歯Ｈ、Ｈ、…において６０°〜４５°の範囲で変化させた場合の１例を示すものである。すなわち、櫛１１１の歯Ｈ、Ｈ、…は、櫛１１１の長手方向に平行な直線を基線Ｘとした場合に、基線Ｘに対して任意の歯Ｈの長手方向の軸線Ｙが交差する際に生じる角度のうち鋭角の方の角度が角度αをなすように植設されており、角度αは図６ｂにて軸線Ｙの左側に現れる。
【００７１】
櫛１１１にては角度αは、作用部１１１Ｆの後端（手元側）の歯Ｈにおいて６０°であり、作用部１１１Ｆの中間部の歯Ｈ、Ｈ、…においては前方（先端側）の歯Ｈほど角度αが漸減し、作用部１１１Ｆの前端（先端側）の歯Ｈにおいて角度αは４５°となる。なお、基線Ｘは、櫛１１１においては、櫛１０１と同様に、作用部１１１Ｆの前端下部１１１ａと後端下部１１１ｂを結ぶ直線として構成されるものである。また、１１１Ｇは柄部である。
【００７２】
図７ａに示す櫛１１２は、櫛１０１において４５°であった角度αを、夫々の歯Ｈ、Ｈ、…において９０°〜６５°の範囲で変化させた場合の１例を示すものである。すなわち、櫛１１２の歯Ｈ、Ｈ、…は、櫛１１２の長手方向に平行な直線を基線Ｘとした場合に、基線Ｘに対して任意の歯Ｈの長手方向の軸線Ｙが交差する際に生じる角度のうち鋭角の方の角度が角度αをなすように植設されており、角度αは図７ａにて軸線Ｙの左側に現れる。
【００７３】
櫛１１２にては角度αは、作用部１１２Ｆの後端（手元側）の歯Ｈにおいて９０°であり、作用部１１２Ｆの中間部の歯Ｈ、Ｈ、…においては前方（先端側）の歯Ｈほど角度αが漸減し、作用部１１２Ｆの前端（先端側）の歯Ｈにおいて角度αは６５°となる。なお、基線Ｘは、櫛１１２においては、櫛１０１と同様に、作用部１１２Ｆの前端下部１１２ａと後端下部１１２ｂを結ぶ直線として構成されるものである。また、１１２Ｇは柄部である。
【００７４】
図６ｂに示す櫛１１３は、櫛１０１において４５°であった角度αを、夫々の歯Ｈ、Ｈ、…において８２°〜６６°の範囲で変化させた場合の１例を示すものである。すなわち、櫛１１３の歯Ｈ、Ｈ、…は、櫛１１３の長手方向に平行な直線を基線Ｘとした場合に、基線Ｘに対して任意の歯Ｈの長手方向の軸線Ｙが交差する際に生じる角度のうち鋭角の方の角度が角度αをなすように植設されており、角度αは図６ｂにて手元側３分の１程度の歯Ｈ、Ｈ、…においては軸線Ｙの右側に現れ、先端側３分の２程度の歯Ｈ、Ｈ、…においては軸線Ｙの左側に現れる。
【００７５】
櫛１１３にては角度αは、作用部１１３Ｆの最後端（手元側）の歯Ｈにおいて８２°であり、作用部１１３Ｆの後部３分の１の歯Ｈ、Ｈ、…においては前方（先端側）の歯Ｈほど角度αが漸増し、角度αが略９０°に達するとそこから前方（先端側）の歯Ｈ、Ｈ、…においては前方（先端側）の歯Ｈほど角度αが漸減し、作用部１１３Ｆの最前端（先端側）の歯Ｈにおいて角度αは６６°となる。なお、基線Ｘは、櫛１１３においては、櫛１０１と同様に、作用部１１３Ｆの前端下部１１３ａと後端下部１１３ｂを結ぶ直線として構成されるものである。また、１１３Ｇは柄部である。
【００７６】
＜実施例１の作用＞
実施例１の作用を、図１ａ、図１ｂに示す櫛１０１を代表例として以下に詳細に説明する。櫛１０１にてパネルＰを梳る作業を真上から見下ろすと図２３に示したような状態となる。今、パネルＰの短手方向に平行な直線をＬ１、パネルＰの長手方向に平行な直線をＬ２とすると、櫛１０１の基線Ｘと歯Ｈの長手方向の軸線Ｙは角度αにて交わるが、前述のとおりこの角度αは全ての歯Ｈ、Ｈ、において４５°となっている。
【００７７】
一方、直線Ｌ１と基線Ｘの作る角度θ１は背景技術の項にて述べた理想的な角度である４５°とする。すなわち、直線Ｌ１と基線Ｘの作る角度θ１が４５°になるように櫛１０１をパネルＰに対して位置させた場合に、その状態を真上から見ると、図２３に示すように、櫛１０１の歯Ｈの長手方向の軸線ＹはパネルＰの長手方向に平行な直線をＬ２と平行となる。この状態で、パネルＰの長手方向に平行な方向ｄ２をもって櫛１０１をパネルＰに入れて梳っていく。
【００７８】
この状態を詳細に見たのが図２４ａである。パネルＰの短手方向に平行な直線Ｌ１と櫛１０１の基線Ｘが作る角度θ１は前述のとおり４５°とし、パネルＰの長手方向に平行な直線Ｌ２と櫛１０１の基線Ｘが作る角度θ２も背景技術の項にて述べた理想的な角度である４５°とする。この場合、任意の歯Ｈの長手方向の軸線Ｙと基線Ｘが作る角度αも４５°であるので、角度θ１、角度θ２、角度αはすべて４５°となる。
【００７９】
櫛１０１をパネルＰに入れて梳っていく方向ｄ２を図２４ｂ、図２５ａ、図２５ｂにて詳細に説明する。方向ｄ２は、真上から見た場合に直線Ｌ２及び歯Ｈの軸線Ｙと平行となるように（図２３参照）設定されるが、真横から見た場合には直線Ｌ２に対して４５°となるように設定されるのが理想とされる。
【００８０】
すなわち、図２４ｂにて、直線Ｌ１と直線Ｌ２を含む平面を平面ＰＬ１、直線Ｌ１を含み平面ＰＬ１に直交する平面を平面ＰＬ２、直線Ｌ２を含み平面ＰＬ１に直交する平面を平面ＰＬ３とした場合、方向ｄ２の平面ＰＬ１への射影ｄ２ａがなす直線をＬ３とすると、直線Ｌ３と直線Ｌ１がなす角度θ３は９０°となる。
【００８１】
また、方向ｄ２の平面ＰＬ２への射影ｄ２ｂがなす直線をＬ４とすると、直線Ｌ４と直線Ｌ１がなす角度θ４も９０°となる。さらに、方向ｄ２の平面ＰＬ３への射影ｄ２ｃがなす直線をＬ５とすると、直線Ｌ５と直線Ｌ２がなす角度θ５は４５°となる。角度θ３、θ４、θ５が上記の数値となるように櫛１０１をパネルＰに入れて梳る。
【００８２】
この状態を真上から見ると図２３に示す状態となり、真横から見ると図２５ａに示す状態となり、正面から見ると図２５ｂに示す状態となる。但し、この場合、真上、真横、正面という言い方は、すべて施術者ＡＣ（図２３に左手ＬＨと右手ＲＨのみ表示）を中心とした見方である。
【００８３】
櫛１０１を上記の角度θ３、θ４、θ５によって限定される方向ｄ２をもってパネルＰに挿入し梳る際に、パネルＰに対して櫛１０１がどのように作用するかを以下に詳細に説明する。以下の説明は、櫛１０１の作用が最も見やすい真上からみた状態をもって行うこととする。
【００８４】
図２６は、櫛１０１が方向ｄ２を以ってパネルＰに当接される直前の状態である。この状態において、櫛１０１の基線Ｘと任意の歯Ｈの長手方向の軸線Ｙのなす角度αは４５°、基線ＸとパネルＰの短手方向に平行な直線Ｌ１のなす角度θ１は４５°、基線ＸとパネルＰの長手方向に平行な直線Ｌ２のなす角度θ２も４５°、方向ｄ２を平面ＰＬ１に投影した射影ｄ２ａを含む直線Ｌ３と直線Ｌ１がなす角度θ３は９０°となっている。すなわち、直線Ｌ３と直線Ｌ１は直交し、直線Ｌ３と直線Ｌ２は平行である。また、真上から見ているので軸線Ｙは直線Ｌ１、直線Ｌ２と平行となっている。
【００８５】
図２７は、図２６の歯Ｈ、Ｈ、…の先端部分を拡大した状態を示す。またこの状態は、図２６に示す状態から櫛１０１を方向ｄ２に少し移動させた状態を示しており、歯ＨａはまだパネルＰに当接していないが、歯Ｈｂは先端部がパネルＰに当接した瞬間であり、歯Ｈｃ、歯Ｈｄ、歯Ｈｅ、歯ｈｆはすでに先端部がパネルＰ内に挿入された状態を示している。
【００８６】
この状態で、歯Ｈｂの先端に注目すると、歯Ｈｂの先端の端点ＨｂａがパネルＰに当接してパネルＰを構成する頭髪ｐ、ｐ、…を左右に分け始めた瞬間が示されている。このように歯Ｈｂは先端の端点Ｈｂａが１点でパネルＰに当接して頭髪ｐ、ｐ、…を左右に分けていくので、歯Ｈｂは先端の平面Ｈｂｂに頭髪ｐ、ｐ、…は全く係止されず、従来の櫛ａ（図３５参照）のようにこの部分にて大きな抵抗感を生じることが全くない。
【００８７】
さらに、方向ｄ２を平面ＰＬ１に投影した射影ｄ２ａを含む直線Ｌ３と歯Ｈａ〜Ｈｆの長手方向の軸線ＹとパネルＰの長手方向に平行な直線Ｌ２がすべて平行となっているので、歯Ｈｂ〜Ｈｆの先端部分に見るように、歯Ｈｂ〜Ｈｆは極めて滑らかに頭髪ｐ、ｐを分けてパネルＰに挿入されていくので、この部分にても抵抗感は全くといって良いほど生じない。この状態が、櫛１０１を扱う施術者ＡＣ（図２３参照）にいかに抵抗感が少なく滑らかに感じられるかということは、図２７（実施例１の櫛１０１）と図３５（従来の櫛ａ）を比較してみれば一目瞭然である。
【００８８】
すなわち、実施例１の櫛１０１は、基線Ｘに対して歯Ｈ、Ｈ、…の長手方向の軸線Ｙが４５°で交わるように構成されているため（図１ａ参照）、角度θ１、θ２を４５°として（図２４ａ、図２４ｂ参照）、方向ｄ２（図２４ａ、図２４ｂ参照）にてパネルＰに入れて梳っていった場合には、まず、歯Ｈ、Ｈ、…の先端部にて殆ど抵抗感を感じることなく梳る作業が行えるということが言い得るものである。
【００８９】
次に歯Ｈ、Ｈ、…の根元の状態を、図２８によって説明する。図２８は、櫛１０１がパネルＰに充分に挿入されて、方向ｄ２にてパネルＰを梳っている状態を表しており、図２８に見るように、パネルＰを構成する頭髪ｐ、ｐは、ある程度の本数が一つの束となって歯Ｈ、Ｈ、…の根元部分の凹部ＨＺ、ＨＺ、…を通過して櫛１０１の裏面に抜けていくことにより梳られるのであるが、この際に、頭髪ｐ、ｐの１本１本はパネルＰの長手方向（直線Ｌ２）に対して略並行な状態を保ったままで梳られる。
【００９０】
この点を、図３６にて示される従来の櫛ａと比較してみると、その違いが明瞭となる。従来の櫛ａにおいては、任意の歯ｈの長手方向の軸線ｙがパネルＰの長手方向（直線Ｌ２）に対して４５°（角度η２）となっているため、歯ｈ、ｈ、…の根元部分の凹部ｈｚ、ｈｚ、…にて頭髪ｐ、ｐが屈曲され、この部分にて大きな抵抗感が生じていた。しかるに、図２８に示す櫛１０１においては、頭髪ｐ、ｐの１本１本が全く屈曲されることなく吸い込まれるように凹部ＨＺを通過して櫛１０１の裏面に抜けていくため、被術者ＡＣ（図２３参照）はこの部分にての抵抗感を殆ど感じることがない。
【００９１】
すなわち、実施例１の櫛１０１は、基線Ｘに対して歯Ｈ、Ｈ、…の長手方向の軸線Ｙが４５°で交わるように構成されているため（図１ａ参照）、角度θ１、θ２を４５°として（図２４ａ、図２４ｂ参照）、方向ｄ２（図２４ａ、図２４ｂ参照）にてパネルＰを梳っていった場合には、歯Ｈ、Ｈ、…の根元部分にても殆ど抵抗感を感じることなく梳る作業が行えるということが言い得るものである。
【００９２】
このように、櫛１０１は、角度θ１、θ２を４５°として（図２４ａ、図２４ｂ参照）、方向ｄ２（図２４ａ、図２４ｂ参照）にてパネルＰを梳っていった場合には、歯Ｈ、Ｈ、…の先端部分にても根元部分にても抵抗感が殆どなく、極めて滑らかにパネルＰを梳る作用を有している。そして、この作用を発揮できるのは、基線Ｘに対して歯Ｈ、Ｈ、…の長手方向の軸線Ｙが４５°で交わるように構成されているために他ならない。
【００９３】
したがって、櫛１０１は、角度θ１、θ２を理想的な角度である４５°とした場合に、はじめてその最大の効果が発揮できるように構成されているものである。したがって、常に角度θ１、θ２を４５°に保ってパネルＰを梳ることのできる理美容師に対しては、従来の櫛とは比較にならない作業の滑らかさ、軽快さを齎すものである。
【００９４】
また、作業中に角度θ１、θ２、特に角度θ１が４５°から少し外れただけでも、手に感ずる滑らかさが異なってくるので、自分の操作する櫛１０１が適切な角度を保ってパネルＰを梳っているかどうかを手に感ずる感触で敏感にモニターし、櫛１０１の角度を微調整していくことが可能である。その意味で、櫛１０１は、自分自身の技術のモニター用の道具として用いることもできるものである。
【００９５】
さらに、櫛１０１は、上記の特質を活かして、初心者に対してパネルＰを梳る際の理想的な角度を体得させるための教育的意義を有する道具としても活用することができる。したがって、櫛１０１は、初心者からベテランに至るまで、全ての理美容師において画期的な意義を有する道具となり得るものである。
【００９６】
以上、基線Ｘに対して歯Ｈ、Ｈ、…の長手方向の軸線Ｙが４５°で交わる（角度α＝４５°）ように構成されている櫛１０１の作用を説明したが、角度αが４５°以外の角度となっている櫛１０２〜櫛１１３の作用を、以下に簡単に説明すれば、次のとおりである。
【００９７】
櫛１０２は基線Ｘと軸線Ｙの交差角度が７５°であるが（図２ａ参照）この櫛１０２は、真上から見た場合（図示せず）にパネルの短手方向に対して櫛１０２の基線Ｘを１５°前後傾けて梳る癖のある理美容師にとって最も使い安い状態を齎すものである。
【００９８】
同様に、櫛１０３（図２ｂ）は真上から見た場合（図示せず）にパネルの短手方向に対して櫛１０３の基線Ｘを２０°前後傾けて梳る癖のある理美容師にとって最も使い安い状態を齎すものであり、櫛１０４（図３ａ）は真上から見た場合（図示せず）にパネルの短手方向に対して櫛１０４の基線Ｘを２５°前後傾けて梳る癖のある理美容師にとって最も使い安い状態を齎すものであり、櫛１０５（図３ｂ）は真上から見た場合（図示せず）にパネルの短手方向に対して櫛１０５の基線Ｘを３０°前後傾けて梳る癖のある理美容師にとって最も使い安い状態を齎すものである。以下、櫛１０６（図４ａ）はパネルの短手方向に対して櫛１０６の基線Ｘを３５°前後、櫛１０７（図４ｂ）はパネルの短手方向に対して櫛１０７の基線Ｘを４０°前後、櫛１０８（図５ａ）はパネルの短手方向に対して櫛１０８の基線Ｘを５０°前後、櫛１０９（図５ｂ）はパネルの短手方向に対して櫛１０９の基線Ｘを５５°前後傾けて梳る癖のある理美容師にとって最も使い安い状態を齎すものである。
【００９９】
背景技術の項にて述べたように、理美容師が櫛をパネルに当てる角度（パネルの短手方向と櫛の基線の交差角度）は、理美容業界では長年の技術的蓄積から４５°前後とするのが理想的とされているが、この角度に関しては、理美容師の夫々の個人的な癖等により、実際の現場にては真上から見て１５°〜５５°くらいの範囲で作業が行われているケースが多い。しかるに、櫛１０１〜櫛１０９により、上記角度が真上から見て１５°〜５５°くらいの範囲内の全ての作業に略対応でき、上記角度を真上から見て４５°以外に採る多くの理美容師が、自分の作業に最適の櫛を櫛１０２〜櫛１０９の中に見出せるものである。
【０１００】
また、櫛の手元部分をやや弧を描くように用いる（図２３の方向ｄ３）癖のある理美容師においては、歯Ｈの長手方向の軸線Ｙが基線Ｘに対してなす角度のうち鋭角の方の角度が櫛の手元から先端に向かうに従って漸減するように構成されている櫛１１０〜櫛１１３が最適な使用効果を齎すものである。すなわち、自分自身の癖により、櫛１１０〜櫛１１３の中から最適な櫛を選択することによって、快適な作業を行うことができる。
【０１０１】
要するに、通称「荒櫛」と呼称される櫛において、最も望ましい櫛は櫛１０１であるが、櫛１０１〜櫛１１３の範囲の櫛を揃えておけば、略すべての理美容師が、自分の癖にあった櫛を選んで快適に作業をこなせるということが言えるものである。
【実施例２】
【０１０２】
＜実施例２の構成＞
図８ａ、図８ｂに示すのは、実施例２の櫛２０１で、図８ａには櫛２０１の右側面図を、図８ｂには櫛２０１の正面図を示している。櫛２０１は通称「カッティングコーム」と呼ばれる分類に入る櫛のうち、細身のタイプである。
【０１０３】
櫛２０１は、全体形状が薄い板状で、複数の歯ＨＲ、ＨＲ、…が比較的疎なる状態にて植設された歯並びが疎なる部分である疎歯部２０１Ｒと複数の歯ＨＤ、ＨＤ、…が比較的密なる状態にて植設された歯並びが密なる部分である密歯部２０１Ｄが中央部分にて接合されて全体が一体として構成されており、中央部分には逆三角形状の把持部２０１Ｇが形成されている。
【０１０４】
櫛２０１は、疎歯部２０１Ｒと密歯部２０１Ｄと把持部２０１Ｇと疎歯部２０１Ｒの複数の歯ＨＲ、ＨＲ、…と密歯部２０１Ｄの複数の歯ＨＤ、ＨＤ、…の全てが一体として構成されており、材質は硬質樹脂製とするが、木製や金属製とすることも無論可能である。
【０１０５】
櫛２０１は、前述のように「カッティングコーム」の分類に入るものであり、その名の示すとおり、鋏や剃刀（図示せず）と共に用いられるものである。理美容においてまず疎歯部２０１Ｒによって被術者（図示せず）の頭髪を大まかに梳り、次に密歯部２０１Ｄによって被術者（図示せず）の頭髪を繊細に梳りつつ鋏や剃刀（図示せず）にて被術者（図示せず）の頭髪を切断する。そのため、疎歯部２０１Ｒにおいては隣接する歯ＨＲ、ＨＲの間隔が比較的疎に構成され、密歯部２０１Ｄにおいては隣接する歯ＨＤ、ＨＤの間隔が比較的密に構成されている。
【０１０６】
実際の作業においては、施術者である理美容師（図示せず）は、疎歯部２０１Ｒを用いたいときには櫛２０１の把持部２０１Ｇから密歯部２０１Ｄを手（図示せず）に把持し、密歯部２０１Ｄを用いたいときには櫛２０１の把持部２０１Ｇから疎歯部２０１Ｒを手（図示せず）に把持して作業を行う。疎歯部２０１Ｒを用いる作業と密歯部２０１Ｄを用いる作業はめまぐるしく交代して行われるので、把持部２０１Ｇを支点として適宜櫛２０１全体を回転させるようにして疎歯部２０１Ｒと密歯部２０１Ｄを交代させながら作業が行われるので、把持部２０１Ｇの支点としての操作性は大切な問題となってくる。
【０１０７】
櫛２０１の疎歯部２０１Ｒにおける歯ＨＲ、ＨＲ、…は、櫛２０１の長手方向に平行な直線を基線Ｘとした場合に、基線Ｘに対して鋭角の方の角度が角度αをなすように植設されており、櫛２０１の疎歯部２０１Ｒにては角度αは全ての歯ＨＲ、ＨＲ、…について等しく４５°である。すなわち、図８ａに見るように、任意の歯ＨＲの長手方向の軸線をＹ１とした場合に、全ての歯ＨＲ、ＨＲ、…において基線Ｘと軸線Ｙ１が角度α（＝４５°）で交わるように構成されており、角度αは図８ａにて軸線Ｙ１の左側に現れる。なお、基線Ｘは、櫛２０１においては、前端下部２０１ａと後端下部２０１ｂを結ぶ直線として構成されるものである。
【０１０８】
櫛２０１の密歯部２０１Ｄにおける歯ＨＤ、ＨＤ、…は、櫛２０１の長手方向に平行な直線を基線Ｘとした場合に、基線Ｘに対して鋭角の方の角度が角度βをなすように植設されており、櫛２０１の密歯部２０１Ｄにては角度βは全ての歯ＨＤ、ＨＤ、…について等しく４５°である。すなわち、図８ａに見るように、任意の歯ＨＤの長手方向の軸線をＹ２とした場合に、全ての歯ＨＤ、ＨＤ、…において基線Ｘと軸線Ｙ２が角度β（＝４５°）で交わるように構成されており、角度βは図８ａにて軸線Ｙ２の右側に現れる。
【０１０９】
図９ａに示す櫛２０２は、櫛２０１において共に４５°であった角度α、角度βを共に５０°とした場合の１例を示すものである。すなわち、櫛２０２の疎歯部２０２Ｒの歯ＨＲ、ＨＲ、…は、櫛２０２の長手方向に平行な直線を基線Ｘとした場合に、基線Ｘに対して鋭角の方の角度が角度αをなすように植設されており、櫛２０２にては角度αは疎歯部２０２Ｒの全ての歯ＨＲ、ＨＲ、…について等しく５０°である。
【０１１０】
すなわち、図９ａに見るように、任意の歯ＨＲの長手方向の軸線をＹ１とした場合に、疎歯部２０２Ｒの全ての歯ＨＲ、ＨＲ、…において基線Ｘと軸線Ｙ１が角度α（＝５０°）で交わるように構成されており、角度αは図９ａにて軸線Ｙ１の左側に現れる。なお、基線Ｘは、櫛２０２においては、櫛２０１と同様に、前端下部２０２ａと後端下部２０２ｂを結ぶ直線として構成されるものである。また、２０２Ｇは、櫛２０２の中央に形成される把持部である。
【０１１１】
櫛２０２の密歯部２０２Ｄの歯ＨＤ、ＨＤ、…は、基線Ｘに対して鋭角の方の角度が角度βをなすように植設されており、櫛２０２にては角度βは密歯部２０２Ｄの全ての歯ＨＤ、ＨＤ、…について等しく５０°である。すなわち、図９ａに見るように、任意の歯ＨＤの長手方向の軸線をＹ２とした場合に、密歯部２０２Ｄの全ての歯ＨＤ、ＨＤ、…において基線Ｘと軸線Ｙ２が角度β（＝５０°）で交わるように構成されており、角度βは図９ａにて軸線Ｙ２の右側に現れる。
【０１１２】
図９ｂに示す櫛２０３は、櫛２０１において共に４５°であった角度α、角度βを共に６０°とした場合の１例を示すものである。すなわち、櫛２０３の疎歯部２０３Ｒの歯ＨＲ、ＨＲ、…は、櫛２０３の長手方向に平行な直線を基線Ｘとした場合に、基線Ｘに対して鋭角の方の角度が角度αをなすように植設されており、櫛２０３にては角度αは疎歯部２０３Ｒの全ての歯ＨＲ、ＨＲ、…について等しく６０°である。
【０１１３】
すなわち、図９ｂに見るように、任意の歯ＨＲの長手方向の軸線をＹ１とした場合に、疎歯部２０３Ｒの全ての歯ＨＲ、ＨＲ、…において基線Ｘと軸線Ｙ１が角度α（＝６０°）で交わるように構成されており、角度αは図９ｂにて軸線Ｙ１の左側に現れる。なお、基線Ｘは、櫛２０３においては、櫛２０１と同様に、前端下部２０３ａと後端下部２０３ｂを結ぶ直線として構成されるものである。また、２０３Ｇは、櫛２０３の中央に形成される把持部である。
【０１１４】
櫛２０３の密歯部２０３Ｄの歯ＨＤ、ＨＤ、…は、基線Ｘに対して鋭角の方の角度が角度βをなすように植設されており、櫛２０３にては角度βは密歯部２０３Ｄの全ての歯ＨＤ、ＨＤ、…について等しく６０°である。すなわち、図９ｂに見るように、任意の歯ＨＤの長手方向の軸線をＹ２とした場合に、密歯部２０３Ｄの全ての歯ＨＤ、ＨＤ、…において基線Ｘと軸線Ｙ２が角度β（＝６０°）で交わるように構成されており、角度βは図９ｂにて軸線Ｙ２の右側に現れる。
【０１１５】
図１０ａに示す櫛２０４は、櫛２０１において共に４５°であった角度α、角度βを、角度αを７０°、角度βを６０°とした場合の１例を示すものである。すなわち、櫛２０４の疎歯部２０４Ｒの歯ＨＲ、ＨＲ、…は、櫛２０４の長手方向に平行な直線を基線Ｘとした場合に、基線Ｘに対して鋭角の方の角度が角度αをなすように植設されており、櫛２０４にては角度αは疎歯部２０４Ｒの全ての歯ＨＲ、ＨＲ、…について等しく７０°である。
【０１１６】
すなわち、図１０ａに見るように、任意の歯ＨＲの長手方向の軸線をＹ１とした場合に、疎歯部２０４Ｒの全ての歯ＨＲ、ＨＲ、…において基線Ｘと軸線Ｙ１が角度α（＝７０°）で交わるように構成されており、角度αは図１０ａにて軸線Ｙ１の左側に現れる。なお、基線Ｘは、櫛２０４においては、櫛２０１と同様に、前端下部２０４ａと後端下部２０４ｂを結ぶ直線として構成されるものである。また、２０４Ｇは、櫛２０４の中央に形成される把持部である。
【０１１７】
櫛２０４の密歯部２０４Ｄの歯ＨＤ、ＨＤ、…は、基線Ｘに対して鋭角の方の角度が角度βをなすように植設されており、櫛２０４にては角度βは密歯部２０４Ｄの全ての歯ＨＤ、ＨＤ、…について等しく６０°である。すなわち、図１０ａに見るように、任意の歯ＨＤの長手方向の軸線をＹ２とした場合に、密歯部２０４Ｄの全ての歯ＨＤ、ＨＤ、…において基線Ｘと軸線Ｙ２が角度β（＝６０°）で交わるように構成されており、角度βは図１０ａにて軸線Ｙ２の右側に現れる。
【０１１８】
図１０ｂに示す櫛２０５は、櫛２０１において共に４５°であった角度α、角度βを、角度αを７０°、角度βを４５°とした場合の１例を示すものである。すなわち、櫛２０５の疎歯部２０５Ｒの歯ＨＲ、ＨＲ、…は、櫛２０５の長手方向に平行な直線を基線Ｘとした場合に、基線Ｘに対して鋭角の方の角度が角度αをなすように植設されており、櫛２０５にては角度αは疎歯部２０５Ｒの全ての歯ＨＲ、ＨＲ、…について等しく７０°である。
【０１１９】
すなわち、図１０ｂに見るように、任意の歯ＨＲの長手方向の軸線をＹ１とした場合に、疎歯部２０５Ｒの全ての歯ＨＲ、ＨＲ、…において基線Ｘと軸線Ｙ１が角度α（＝７０°）で交わるように構成されており、角度αは図１０ｂにて軸線Ｙ１の左側に現れる。なお、基線Ｘは、櫛２０５においては、櫛２０１と同様に、前端下部２０５ａと後端下部２０５ｂを結ぶ直線として構成されるものである。また、２０５Ｇは、櫛２０５の中央に形成される把持部である。
【０１２０】
櫛２０５の密歯部２０５Ｄの歯ＨＤ、ＨＤ、…は、基線Ｘに対して鋭角の方の角度が角度βをなすように植設されており、櫛２０５にては角度βは密歯部２０５Ｄの全ての歯ＨＤ、ＨＤ、…について等しく４５°である。すなわち、図１０ｂに見るように、任意の歯ＨＤの長手方向の軸線をＹ２とした場合に、密歯部２０５Ｄの全ての歯ＨＤ、ＨＤ、…において基線Ｘと軸線Ｙ２が角度β（＝４５°）で交わるように構成されており、角度βは図１０ｂにて軸線Ｙ２の右側に現れる。
【０１２１】
図１１ａに示す櫛２０６は、櫛２０１において共に４５°であった角度α、角度βを、角度αを９０°〜８０°の範囲で変化させ、角度βを９０°〜７０°の範囲で変化させた場合の１例を示すものである。すなわち、櫛２０６の疎歯部２０６Ｒの歯ＨＲａ〜ＨＲ〜ＨＲｂは、櫛２０６の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１１ａにて軸線Ｙ１の左側に現れる。
【０１２２】
櫛２０６にては角度αは疎歯部２０６Ｒの最も中央寄りの歯ＨＲａにおいて９０°であり、前端に向かうにしたがって角度αは漸減し、最も前端寄りの歯ＨＲｂにおいて８０°となる。なお、基線Ｘは、櫛２０６においては、櫛２０１と同様に、前端下部２０６ａと後端下部２０６ｂを結ぶ直線として構成されるものである。
【０１２３】
櫛２０６の密歯部２０６Ｄの歯ＨＤａ〜ＨＤ〜ＨＤｂは、櫛２０６の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１１ａにて軸線Ｙ２の右側に現れる。櫛２０６にては角度βは密歯部２０６Ｄの最も中央寄りの歯ＨＤａにおいて９０°であり、後端に向かうにしたがって角度βは漸減し、最も後端寄りの歯ＨＤｂにおいて７０°となる。
【０１２４】
図１１ｂに示す櫛２０７は、櫛２０１において共に４５°であった角度α、角度βを、角度αを９０°〜７０°の範囲で変化させ、角度βを９０°〜６０°の範囲で変化させた場合の１例を示すものである。すなわち、櫛２０７の疎歯部２０７Ｒの歯ＨＲａ〜ＨＲ〜ＨＲｂは、櫛２０７の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１１ｂにて軸線Ｙ１の左側に現れる。
【０１２５】
櫛２０７にては角度αは疎歯部２０７Ｒの最も中央寄りの歯ＨＲａにおいて９０°であり、前端に向かうにしたがって角度αは漸減し、最も前端寄りの歯ＨＲｂにおいて７０°となる。なお、基線Ｘは、櫛２０７においては、櫛２０１と同様に、前端下部２０７ａと後端下部２０７ｂを結ぶ直線として構成されるものである。
【０１２６】
櫛２０７の密歯部２０７Ｄの歯ＨＤａ〜ＨＤ〜ＨＤｂは、櫛２０７の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１１ｂにて軸線Ｙ２の右側に現れる。櫛２０７にては角度βは密歯部２０７Ｄの最も中央寄りの歯ＨＤａにおいて９０°であり、後端に向かうにしたがって角度βは漸減し、最も後端寄りの歯ＨＤｂにおいて６０°となる。
【０１２７】
図１２ａに示す櫛２０８は、櫛２０１において共に４５°であった角度α、角度βを、角度αを９０°〜７０°の範囲で変化させ、角度βを９０°〜４５°の範囲で変化させた場合の１例を示すものである。すなわち、櫛２０８の疎歯部２０８Ｒの歯ＨＲａ〜ＨＲ〜ＨＲｂは、櫛２０８の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１２ａにて軸線Ｙ１の左側に現れる。
【０１２８】
櫛２０８にては角度αは疎歯部２０８Ｒの最も中央寄りの歯ＨＲａにおいて９０°であり、前端に向かうにしたがって角度αは漸減し、最も前端寄りの歯ＨＲｂにおいて７０°となる。なお、基線Ｘは、櫛２０８においては、櫛２０１と同様に、前端下部２０８ａと後端下部２０８ｂを結ぶ直線として構成されるものである。
【０１２９】
櫛２０８の密歯部２０８Ｄの歯ＨＤａ〜ＨＤ〜ＨＤｂは、櫛２０８の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１２ａにて軸線Ｙ２の右側に現れる。櫛２０８にては角度βは密歯部２０８Ｄの最も中央寄りの歯ＨＤａにおいて９０°であり、後端に向かうにしたがって角度βは漸減し、最も後端寄りの歯ＨＤｂにおいて４５°となる。
【０１３０】
図１２ｂに示す櫛２０９は、櫛２０１において共に４５°であった角度α、角度βを、角度αを９０°〜６０°の範囲で変化させ、角度βを９０°〜４５°の範囲で変化させた場合の１例を示すものである。すなわち、櫛２０９の疎歯部２０９Ｒの歯ＨＲａ〜ＨＲ〜ＨＲｂは、櫛２０９の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１２ｂにて軸線Ｙ１の左側に現れる。
【０１３１】
櫛２０９にては角度αは疎歯部２０９Ｒの最も中央寄りの歯ＨＲａにおいて９０°であり、前端に向かうにしたがって角度αは漸減し、最も前端寄りの歯ＨＲｂにおいて６０°となる。なお、基線Ｘは、櫛２０９においては、櫛２０１と同様に、前端下部２０９ａと後端下部２０９ｂを結ぶ直線として構成されるものである。
【０１３２】
櫛２０９の密歯部２０９Ｄの歯ＨＤａ〜ＨＤ〜ＨＤｂは、櫛２０９の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１２ｂにて軸線Ｙ２の右側に現れる。櫛２０９にては角度βは密歯部２０９Ｄの最も中央寄りの歯ＨＤａにおいて９０°であり、後端に向かうにしたがって角度βは漸減し、最も後端寄りの歯ＨＤｂにおいて４５°となる。
【０１３３】
図１３ａに示す櫛２１０は、櫛２０１において共に４５°であった角度α、角度βを、角度αを７７°〜７０°の範囲で変化させ、角度βを７６°〜６０°の範囲で変化させた場合の１例を示すものである。すなわち、櫛２１０の疎歯部２１０Ｒの歯ＨＲａ〜ＨＲ〜ＨＲｂは、櫛２１０の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１３ａにて軸線Ｙ１の左側に現れる。
【０１３４】
櫛２１０にては角度αは疎歯部２１０Ｒの最も中央寄りの歯ＨＲａにおいて７７°であり、前端に向かうにしたがって角度αは漸減し、最も前端寄りの歯ＨＲｂにおいて７０°となる。なお、基線Ｘは、櫛２１０においては、櫛２０１と同様に、前端下部２１０ａと後端下部２１０ｂを結ぶ直線として構成されるものである。
【０１３５】
櫛２１０の密歯部２１０Ｄの歯ＨＤａ〜ＨＤ〜ＨＤｂは、櫛２１０の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１３ａにて軸線Ｙ２の右側に現れる。
【０１３６】
櫛２１０にては角度βは密歯部２１０Ｄの最も中央寄りの歯ＨＤａにおいて７６°であり、後端に向かうにしたがって角度βは漸減し、最も後端寄りの歯ＨＤｂにおいて６０°となる。なお、櫛２１０にては、疎歯部２１０Ｒと密歯部２１０Ｄの中間に、逆三角形状の把持部２１０Ｇが構成されている。
【０１３７】
図１３ｂに示す櫛２１１は、櫛２０１において共に４５°であった角度α、角度βを、角度αを７７°〜７０°の範囲で変化させ、角度βを５６°〜４５°の範囲で変化させた場合の１例を示すものである。すなわち、櫛２１１の疎歯部２１１Ｒの歯ＨＲａ〜ＨＲ〜ＨＲｂは、櫛２１１の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１３ｂにて軸線Ｙ１の左側に現れる。
【０１３８】
櫛２１１にては角度αは疎歯部２１１Ｒの最も中央寄りの歯ＨＲａにおいて７７°であり、前端に向かうにしたがって角度αは漸減し、最も前端寄りの歯ＨＲｂにおいて７０°となる。なお、基線Ｘは、櫛２１１においては、櫛２０１と同様に、前端下部２１１ａと後端下部２１１ｂを結ぶ直線として構成されるものである。
【０１３９】
櫛２１１の密歯部２１１Ｄの歯ＨＤａ〜ＨＤ〜ＨＤｂは、櫛２１１の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１３ｂにて軸線Ｙ２の右側に現れる。
【０１４０】
櫛２１１にては角度βは密歯部２１１Ｄの最も中央寄りの歯ＨＤａにおいて５６°であり、後端に向かうにしたがって角度βは漸減し、最も後端寄りの歯ＨＤｂにおいて４５°となる。なお、櫛２１１にては、疎歯部２１１Ｒと密歯部２１１Ｄの中間に、逆三角形状の把持部２１１Ｇが構成されている。
【０１４１】
＜実施例２の作用＞
実施例２の１例として説明した上記櫛２０１〜２１１の作用は、実施例１の櫛１０１〜１１３の作用と同様であるので、詳細な説明は省略する。ただ、櫛２０１は、疎歯部２０１Ｒの角度αが４５°であり、密歯部２０１Ｄの角度βが４５°であるので、疎歯部２０１Ｒを用いる場合においても密歯部２０１Ｄを用いる場合においても、櫛２０１の基線をパネルの短手方向に対して４５°とする前述の理想的な方法でパネルを梳った場合に施術者ＡＣ（図２３参照）の手に感じる抵抗感が最も小となる。
【０１４２】
したがって、櫛２０１は疎歯部と密歯部からなる所謂「カッティングコーム」において、櫛の基線をパネルの短手方向に対して４５°とする理想的な方法にてパネルを梳る理美容師（施術者）に対して最高の使い勝手を与える櫛となる。また、施術者自身が自らの櫛の基線が理想的な状態に保たれているかどうかを常にチェックできるモニター機能も有し、未熟練者においては、自らの櫛の基線を理想的な状態に近づけるための教育的意義も有するものである。
【０１４３】
また、櫛２０１〜２０５、２１０、２１１においては、中央に把持部２０１Ｇ〜２０５Ｇ、２１０Ｇ、２１１Ｇが形成されるので、従来の「カッティングコーム」（１例として図３０ａの櫛ｂ参照）に比較して、安定的に保持することができる。「カッティングコーム」の用い方は、前述のように、中央部を保持したまま、疎歯部と密歯部を頻繁に交代させながら用いるので、結果として中央部を支点として櫛全体を回転させる動作が頻繁に行われることとなる。したがって、中央に把持部のある櫛２０１〜２０５、２１０、２１１においては、支点が安定し、櫛全体を回転させる動作がより容易に行えるので、施術者の使用感は非常に良く、また作業効率も上昇するという効果を齎すものである。なお、この把持部２０１Ｇ〜２０５Ｇ、２１０Ｇ、２１１Ｇに円孔（図示せず）を穿設すれば、該円孔に指を掛けて櫛２０１〜２０５、２１０、２１１全体を回転させられるので、回転させる動作はさらに行い易くなる。
【０１４４】
また、櫛２０４〜２１１においては、疎歯部２０４Ｒ〜２１１Ｒの角度αが密歯部２０４Ｄ〜２１１Ｄの角度βより概ね大として構成されているが、この理由は、通常「カッティングコーム」において疎歯部と蜜櫛部を使い分ける場合に、多くの理美容師において、櫛の基線とパネルの短手方向のなす角度（図示せず）を、疎歯部の使用においてはより小に、密歯部の使用においてはより大とする傾向が見られるので、その傾向に沿うように構成したためである。
【０１４５】
また、櫛２０６〜２１１においては、角度α、βが一定でなく、中央から端部に向かうにしたがって漸減するように構成されているが、この理由は、実施例１の櫛１１０〜１１３と同様で、櫛を把持する手元を回転させる（図２３の方向ｄ３）癖のある理美容師にとって快適な使用感が得られるように考えたものである。
【実施例３】
【０１４６】
＜実施例３の構成＞
図１４ａ、図１４ｂに示すのは、実施例３の櫛３０１で、図１４ａには櫛３０１の右側面図を、図１４ｂには櫛３０１の正面図を示している。櫛３０１は通称「カッティングコーム」と呼ばれる分類に入る櫛のうち、背が丸みを帯びて構成されているものである。
【０１４７】
櫛３０１は、全体形状が薄い板状で、複数の歯ＨＲ、ＨＲ、…が比較的疎なる状態にて植設された歯並びが疎なる部分である疎歯部３０１Ｒと複数の歯ＨＤ、ＨＤ、…が比較的密なる状態にて植設された歯並びが密なる部分である密歯部３０１Ｄが中央部分にて接合されて一体として構成されており、中央部分には逆三角形状の把持部３０１Ｇが形成されている。
【０１４８】
櫛３０１は、疎歯部３０１Ｒと密歯部３０１Ｄと把持部３０１Ｇと疎歯部３０１Ｒの複数の歯ＨＲ、ＨＲ、…と密歯部３０１Ｄの複数の歯ＨＤ、ＨＤ、…の全てが一体として構成されており、材質は硬質樹脂製とするが、木製や金属製とすることも無論可能である。
【０１４９】
櫛３０１は、前述のように「カッティングコーム」の分類に入るものであり、その特徴や用い方は実施例２の櫛２０１〜２１１と略同様である。櫛２０１〜２１１と同様、中央部分を把持しつつ疎歯部３０１Ｒと密歯部３０１Ｄを頻繁に交代させながら用いるところから、中央部分の構成は大切な要素となる。
【０１５０】
櫛３０１の疎歯部３０１Ｒにおける歯ＨＲ、ＨＲ、…は、櫛３０１の長手方向に平行な直線を基線Ｘとした場合に、基線Ｘに対して鋭角の方の角度が角度αをなすように植設されており、櫛３０１の疎歯部３０１Ｒにては角度αは全ての歯ＨＲ、ＨＲ、…について等しく４５°である。すなわち、図１４ａに見るように、任意の歯ＨＲの長手方向の軸線をＹ１とした場合に、全ての歯ＨＲ、ＨＲ、…において基線Ｘと軸線Ｙ１が角度α（＝４５°）で交わるように構成されており、角度αは図１４ａにて軸線Ｙ１の左側に現れる。なお、基線Ｘは、櫛３０１においては、前端下部３０１ａと後端下部３０１ｂを結ぶ直線として構成されるものである。
【０１５１】
櫛３０１の密歯部３０１Ｄにおける歯ＨＤ、ＨＤ、…は、櫛３０１の長手方向に平行な直線を基線Ｘとした場合に、基線Ｘに対して鋭角の方の角度が角度βをなすように植設されており、櫛３０１の密歯部３０１Ｄにては角度βは全ての歯ＨＤ、ＨＤ、…について等しく４５°である。すなわち、図８ａに見るように、任意の歯ＨＤの長手方向の軸線をＹ２とした場合に、全ての歯ＨＤ、ＨＤ、…において基線Ｘと軸線Ｙ２が角度β（＝４５°）で交わるように構成されており、角度βは図１４ａにて軸線Ｙ２の右側に現れる。
【０１５２】
図１５ａに示す櫛３０２は、櫛３０１において共に４５°であった角度α、角度βを共に６０°とした場合の１例を示すものである。すなわち、櫛３０２の疎歯部３０２Ｒの歯ＨＲ、ＨＲ、…は、櫛３０２の長手方向に平行な直線を基線Ｘとした場合に、基線Ｘに対して鋭角の方の角度が角度αをなすように植設されており、櫛３０２にては角度αは疎歯部３０２Ｒの全ての歯ＨＲ、ＨＲ、…について等しく６０°である。
【０１５３】
すなわち、図１５ａに見るように、任意の歯ＨＲの長手方向の軸線をＹ１とした場合に、疎歯部３０２Ｒの全ての歯ＨＲ、ＨＲ、…において基線Ｘと軸線Ｙ１が角度α（＝６０°）で交わるように構成されており、角度αは図１５ａにて軸線Ｙ１の左側に現れる。なお、基線Ｘは、櫛３０２においては、櫛３０１と同様に、前端下部３０２ａと後端下部３０２ｂを結ぶ直線として構成されるものである。また、３０２Ｇは、櫛３０２の中央に形成される把持部である。
【０１５４】
櫛３０２の密歯部３０２Ｄの歯ＨＤ、ＨＤ、…は、基線Ｘに対して鋭角の方の角度が角度βをなすように植設されており、櫛３０２にては角度βは密歯部３０２Ｄの全ての歯ＨＤ、ＨＤ、…について等しく６０°である。すなわち、図１５ａに見るように、任意の歯ＨＤの長手方向の軸線をＹ２とした場合に、密歯部３０２Ｄの全ての歯ＨＤ、ＨＤ、…において基線Ｘと軸線Ｙ２が角度β（＝６０°）で交わるように構成されており、角度βは図１５ａにて軸線Ｙ２の右側に現れる。
【０１５５】
図１５ｂに示す櫛３０３は、櫛３０１において共に４５°であった角度α、角度βを共に７０°とした場合の１例を示すものである。すなわち、櫛３０３の疎歯部３０３Ｒの歯ＨＲ、ＨＲ、…は、櫛３０３の長手方向に平行な直線を基線Ｘとした場合に、基線Ｘに対して鋭角の方の角度が角度αをなすように植設されており、櫛３０３にては角度αは疎歯部３０３Ｒの全ての歯ＨＲ、ＨＲ、…について等しく７０°である。
【０１５６】
すなわち、図１５ｂに見るように、任意の歯ＨＲの長手方向の軸線をＹ１とした場合に、疎歯部３０３Ｒの全ての歯ＨＲ、ＨＲ、…において基線Ｘと軸線Ｙ１が角度α（＝７０°）で交わるように構成されており、角度αは図１５ｂにて軸線Ｙ１の左側に現れる。なお、基線Ｘは、櫛３０３においては、櫛３０１と同様に、前端下部３０３ａと後端下部３０３ｂを結ぶ直線として構成されるものである。また、３０３Ｇは、櫛３０３の中央に形成される把持部である。
【０１５７】
櫛３０３の密歯部３０３Ｄの歯ＨＤ、ＨＤ、…は、基線Ｘに対して鋭角の方の角度が角度βをなすように植設されており、櫛３０３にては角度βは密歯部３０３Ｄの全ての歯ＨＤ、ＨＤ、…について等しく７０°である。すなわち、図１５ｂに見るように、任意の歯ＨＤの長手方向の軸線をＹ２とした場合に、密歯部３０２Ｄの全ての歯ＨＤ、ＨＤ、…において基線Ｘと軸線Ｙ２が角度β（＝７０°）で交わるように構成されており、角度βは図１５ｂにて軸線Ｙ２の右側に現れる。
【０１５８】
図１６ａに示す櫛３０４は、櫛３０１においてと共に４５°であった角度α、角度βを、角度αを７５°、角度βを６５°とした場合の１例を示すものである。すなわち、櫛３０４の疎歯部３０４Ｒの歯ＨＲ、ＨＲ、…は、櫛３０４の長手方向に平行な直線を基線Ｘとした場合に、基線Ｘに対して鋭角の方の角度が角度αをなすように植設されており、櫛３０４にては角度αは疎歯部３０４Ｒの全ての歯ＨＲ、ＨＲ、…について等しく７５°である。
【０１５９】
すなわち、図１６ａに見るように、任意の歯ＨＲの長手方向の軸線をＹ１とした場合に、疎歯部３０４Ｒの全ての歯ＨＲ、ＨＲ、…において基線Ｘと軸線Ｙ１が角度α（＝７５°）で交わるように構成されており、角度αは図１６ａにて軸線Ｙ１の左側に現れる。なお、基線Ｘは、櫛３０４においては、櫛３０１と同様に、前端下部３０４ａと後端下部３０４ｂを結ぶ直線として構成されるものである。また、３０４Ｇは、櫛３０４の中央に形成される把持部である。
【０１６０】
櫛３０４の密歯部３０４Ｄの歯ＨＤ、ＨＤ、…は、基線Ｘに対して鋭角の方の角度が角度βをなすように植設されており、櫛３０４にては角度βは密歯部３０４Ｄの全ての歯ＨＤ、ＨＤ、…について等しく６５°である。すなわち、図１６ａに見るように、任意の歯ＨＤの長手方向の軸線をＹ２とした場合に、密歯部３０４Ｄの全ての歯ＨＤ、ＨＤ、…において基線Ｘと軸線Ｙ２が角度β（＝６５°）で交わるように構成されており、角度βは図１６ａにて軸線Ｙ２の右側に現れる。
【０１６１】
図１６ｂに示す櫛３０５は、櫛３０１において共に４５°であった角度α、角度βを、角度αを６５°、角度βを５０°とした場合の１例を示すものである。すなわち、櫛３０５の疎歯部３０５Ｒの歯ＨＲ、ＨＲ、…は、櫛３０５の長手方向に平行な直線を基線Ｘとした場合に、基線Ｘに対して鋭角の方の角度が角度αをなすように植設されており、櫛３０５にては角度αは疎歯部３０５Ｒの全ての歯ＨＲ、ＨＲ、…について等しく６５°である。
【０１６２】
すなわち、図１６ｂに見るように、任意の歯ＨＲの長手方向の軸線をＹ１とした場合に、疎歯部３０５Ｒの全ての歯ＨＲ、ＨＲ、…において基線Ｘと軸線Ｙ１が角度α（＝６５°）で交わるように構成されており、角度αは図１６ｂにて軸線Ｙ１の左側に現れる。なお、基線Ｘは、櫛３０５においては、櫛３０１と同様に、前端下部３０５ａと後端下部３０５ｂを結ぶ直線として構成されるものである。また、３０５Ｇは、櫛３０５の中央に形成される把持部である。
【０１６３】
櫛３０５の密歯部３０５Ｄの歯ＨＤ、ＨＤ、…は、基線Ｘに対して鋭角の方の角度が角度βをなすように植設されており、櫛３０５にては角度βは密歯部３０５Ｄの全ての歯ＨＤ、ＨＤ、…について等しく５０°である。すなわち、図１６ｂに見るように、任意の歯ＨＤの長手方向の軸線をＹ２とした場合に、密歯部３０５Ｄの全ての歯ＨＤ、ＨＤ、…において基線Ｘと軸線Ｙ２が角度β（＝５０°）で交わるように構成されており、角度βは図１６ｂにて軸線Ｙ２の右側に現れる。
【０１６４】
図１７ａに示す櫛３０６は、櫛３０１において共に４５°であった角度α、角度βを、角度αを９０°〜８０°の範囲で変化させ、角度βを９０°〜６５°の範囲で変化させた場合の１例を示すものである。すなわち、櫛３０６の疎歯部３０６Ｒの歯ＨＲａ〜ＨＲ〜ＨＲｂは、櫛３０６の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１７ａにて軸線Ｙ１の左側に現れる。
【０１６５】
櫛３０６にては角度αは疎歯部３０６Ｒの最も中央寄りの歯ＨＲａにおいて９０°であり、前端に向かうにしたがって角度αは漸減し、最も前端寄りの歯ＨＲｂにおいて８０°となる。なお、基線Ｘは、櫛３０６においては、櫛３０１と同様に、前端下部３０６ａと後端下部３０６ｂを結ぶ直線として構成されるものである。
【０１６６】
櫛３０６の密歯部３０６Ｄの歯ＨＤａ〜ＨＤ〜ＨＤｂは、櫛３０６の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１７ａにて軸線Ｙ２の右側に現れる。櫛３０６にては角度βは密歯部３０６Ｄの最も中央寄りの歯ＨＤａにおいて９０°であり、後端に向かうにしたがって角度βは漸減し、最も後端寄りの歯ＨＤｂにおいて６５°となる。
【０１６７】
図１７ｂに示す櫛３０７は、櫛３０１において共に４５°であった角度α、角度βを、角度αを９０°〜７０°の範囲で変化させ、角度βを９０°〜５５°の範囲で変化させた場合の１例を示すものである。すなわち、櫛３０７の疎歯部３０７Ｒの歯ＨＲａ〜ＨＲ〜ＨＲｂは、櫛３０７の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１７ｂにて軸線Ｙ１の左側に現れる。
【０１６８】
櫛３０７にては角度αは疎歯部３０７Ｒの最も中央寄りの歯ＨＲａにおいて９０°であり、前端に向かうにしたがって角度αは漸減し、最も前端寄りの歯ＨＲｂにおいて７０°となる。なお、基線Ｘは、櫛３０７においては、櫛３０１と同様に、前端下部３０７ａと後端下部３０７ｂを結ぶ直線として構成されるものである。
【０１６９】
櫛３０７の密歯部３０７Ｄの歯ＨＤａ〜ＨＤ〜ＨＤｂは、櫛３０７の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１７ｂにて軸線Ｙ２の右側に現れる。櫛３０７にては角度βは密歯部３０７Ｄの最も中央寄りの歯ＨＤａにおいて９０°であり、後端に向かうにしたがって角度βは漸減し、最も後端寄りの歯ＨＤｂにおいて５５°となる。
【０１７０】
図１８ａに示す櫛３０８は、櫛３０１において共に４５°であった角度α、角度βを、角度αを７７．５°〜６８°の範囲で変化させ、角度βを７７．５°〜５５°の範囲で変化させた場合の１例を示すものである。すなわち、櫛３０８の疎歯部３０８Ｒの歯ＨＲａ〜ＨＲ〜ＨＲｂは、櫛３０８の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１８ａにて軸線Ｙ１の左側に現れる。
【０１７１】
櫛３０８にては角度αは疎歯部３０８Ｒの最も中央寄りの歯ＨＲａにおいて７７．５°であり、前端に向かうにしたがって角度αは漸減し、最も前端寄りの歯ＨＲｂにおいて６８°となる。なお、基線Ｘは、櫛３０８においては、櫛３０１と同様に、前端下部３０８ａと後端下部３０８ｂを結ぶ直線として構成されるものである。また、３０８Ｇは、櫛３０８の中央に形成される把持部である。
【０１７２】
櫛３０８の密歯部３０８Ｄの歯ＨＤａ〜ＨＤ〜ＨＤｂは、櫛３０８の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１８ａにて軸線Ｙ２の右側に現れる。櫛３０８にては角度βは密歯部３０８Ｄの最も中央寄りの歯ＨＤａにおいて７７．５°であり、後端に向かうにしたがって角度βは漸減し、最も後端寄りの歯ＨＤｂにおいて５５°となる。
【０１７３】
図１８ｂに示す櫛３０９は、櫛３０１において４５°であった角度α、角度βを、角度αを７２°〜５６°の範囲で変化させ、角度βを７５°〜４５°の範囲で変化させた場合の１例を示すものである。すなわち、櫛３０９の疎歯部３０９Ｒの歯ＨＲａ〜ＨＲ〜ＨＲｂは、櫛３０９の長手方向に平行な直線を基線Ｘ、歯ＨＲａ〜ＨＲ〜ＨＲｂの夫々において長手方向の軸線をＹ１とした場合に、基線Ｘと軸線Ｙ１の交差角度のうち鋭角の方の角度が角度αをなすように植設されており、角度αは図１８ｂにて軸線Ｙ１の左側に現れる。
【０１７４】
櫛３０９にては角度αは疎歯部３０９Ｒの最も中央寄りの歯ＨＲａにおいて７２°であり、前端に向かうにしたがって角度αは漸減し、最も前端寄りの歯ＨＲｂにおいて５６°となる。なお、基線Ｘは、櫛３０９においては、櫛３０１と同様に、前端下部３０９ａと後端下部３０９ｂを結ぶ直線として構成されるものである。また、３０９Ｇは、櫛３０９の中央に形成される把持部である。
【０１７５】
櫛３０９の密歯部３０９Ｄの歯ＨＤａ〜ＨＤ〜ＨＤｂは、櫛３０９の長手方向に平行な直線を基線Ｘ、歯ＨＤａ〜ＨＤ〜ＨＤｂの夫々において長手方向の軸線をＹ２とした場合に、基線Ｘと軸線Ｙ２の交差角度のうち鋭角の方の角度が角度βをなすように植設されており、角度βは図１８ｂにて軸線Ｙ２の右側に現れる。櫛３０９にては角度βは密歯部３０９Ｄの最も中央寄りの歯ＨＤａにおいて７５°であり、後端に向かうにしたがって角度βは漸減し、最も後端寄りの歯ＨＤｂにおいて４５°となる。
【０１７６】
＜実施例３の作用＞
実施例３の１例として説明した上記櫛３０１〜３０９の作用は、実施例２の櫛２０１〜２１１の作用と同様であるので、詳細な説明は省略する。ただ、櫛３０１は、疎歯部３０１Ｒの角度αが４５°であり、密歯部３０１Ｄの角度βが４５°であるので、疎歯部３０１Ｒを用いる場合においても密歯部３０１Ｄを用いる場合においても、櫛３０１の基線Ｘをパネルの短手方向に対して４５°とする理想的な方法（図示せず）でパネルを梳った場合に施術者ＡＣ（図２３参照）の手に感じる抵抗感が最も小となる。
【０１７７】
したがって、櫛３０１は疎歯部と密歯部からなる所謂「カッティングコーム」において、実施例２の櫛２０１同様、櫛の基線をパネルの短手方向に対して４５°とする理想的な方法にてパネルを梳る理美容師（施術者）に対して最高の使い勝手を与える櫛となる。また、施術者自身が自らの櫛の基線が理想的な状態に保たれているかどうかを常にチェックできるモニター機能も有し、未熟練者においては、自らの櫛の基線を理想的な状態に近づけるための教育的意義も有するものである。
【０１７８】
また、櫛３０１〜３０５、３０８、３０９においては、中央に把持部３０１Ｇ〜３０５Ｇ、３０８Ｇ、３０９Ｇが形成されるので、従来の「カッティングコーム」（１例として図３０ｂの櫛ｃ参照）に比較して、安定的に保持することができる。この点は、実施例２の櫛２０１〜２０５、２１０、２１１と同様である。なお、この把持部３０１Ｇ〜３０５Ｇ、３０８Ｇ、３０９Ｇに円孔（図示せず）を穿設すれば、該円孔に指を掛けて櫛３０１〜３０５、３０８、３０９全体を回転させられるので、回転させる動作はさらに行い易くなる。
【０１７９】
また、櫛３０４〜３０９においては、疎歯部３０４Ｒ〜３０９Ｒの角度αが密歯部３０４Ｄ〜３０９Ｄの角度βより概ね大として構成されているが、この理由は、実施例２の櫛２０４〜２１１と同様である。また、櫛３０６〜３０９においては、角度α、βが一定でなく、中央から端部に向かうにしたがって漸減するように構成されているが、この理由も、実施例２の櫛２０６〜２１１と同様である。
【実施例４】
【０１８０】
＜実施例４の構成＞
図１９ａ、図１９ｂに示すのは、実施例４の櫛４０１で、図１９ａには櫛４０１の右側面図を、図１９ｂには櫛４０１の正面図を示している。櫛４０１は通称「毛染め用櫛」と呼ばれる分類に入るものである。
【０１８１】
櫛４０１は、全体形状が薄い板状で、複数の歯Ｈ、Ｈ、…が植設された作用部４０１Ｆと施術者である理美容師（図示せず）が手に把握する棒状の柄部４０１Ｇが一体として構成されている。作用部４０１Ｆの下面には柔毛からなるブラシｂｓが植設されている。櫛４０１は、ブラシｂｓを除く柄部４０１Ｇと作用部４０１Ｆと作用部４０１Ｆの複数の歯Ｈ、Ｈ、…の全てが一体として構成されており、材質は硬質樹脂製とするが、木製や金属製とすることも無論可能である。なお、ブラシｂｓは合成繊維製や樹脂製の細い線材から構成することができる。
【０１８２】
櫛４０１は、前述のように「毛染め用櫛」の分類に入るものであり、理美容において被術者の頭髪（図示せず）を複数の歯Ｈ、Ｈ、…にて大まかに梳り、さらにブラシｂｓに染色剤を載置して被術者（図示せず）の頭髪に塗布する。このような用途のため、隣接する歯Ｈ、Ｈの間隔は荒めに構成される。
【０１８３】
櫛４０１の歯Ｈ、Ｈ、…は、櫛４０１の長手方向に平行な直線を基線Ｘとした場合に、基線Ｘに対して鋭角の方の角度が角度αをなすように植設されており、櫛４０１にては角度αは全ての歯Ｈ、Ｈ、…について等しく４５°である。すなわち、図１９ａに見るように、任意の歯Ｈの長手方向の軸線をＹとした場合に、全ての歯Ｈ、Ｈ、…において基線Ｘと軸線Ｙが角度α（＝４５°）で交わるように構成されており、角度αは図１９ａにて軸線Ｙの左側に現れる。なお、基線Ｘは、櫛４０１においては、作用部４０１Ｆの後部の数本を除く大部分の歯Ｈ、Ｈ、…の先端を結ぶ直線として構成されるものであり、この基線Ｘは、また歯Ｈ、Ｈ、…の根元を結ぶ直線Ｚと平行となっている。
【０１８４】
図２０ａに示す櫛４０２は、櫛４０１において４５°であった角度αを４０°とした場合の１例を示すものである。すなわち、櫛４０２の歯Ｈ、Ｈ、…は、櫛４０２の長手方向に平行な直線を基線Ｘとした場合に、基線Ｘに対して任意の歯Ｈの長手方向の軸線Ｙが交差する際の鋭角の方の角度が角度αをなすように植設されており、櫛４０２にては角度αは全ての歯Ｈ、Ｈ、…について等しく４０°である。なお、基線Ｘは、櫛４０２においては、櫛４０１と同様に作用部４０２Ｆの後部の数本を除く大部分の歯Ｈ、Ｈ、…の先端を結ぶ直線として構成されるものであり、この基線Ｘは、また歯Ｈ、Ｈ、…の根元を結ぶ直線Ｚと平行となっている。
【０１８５】
図２０ｂに示す櫛４０３は、櫛４０１において４５°であった角度αを６０°とした場合の１例を示すものである。すなわち、櫛４０３の歯Ｈ、Ｈ、…は、櫛４０３の長手方向に平行な直線を基線Ｘとした場合に、基線Ｘに対して任意の歯Ｈの長手方向の軸線Ｙが交差する際の鋭角の方の角度が角度αをなすように植設されており、櫛４０３にては角度αは全ての歯Ｈ、Ｈ、…について等しく６０°である。なお、基線Ｘは、櫛４０３においては、櫛４０１と同様に作用部４０３Ｆの後部の数本を除く大部分の歯Ｈ、Ｈ、…の先端を結ぶ直線として構成されるものであり、この基線Ｘは、また歯Ｈ、Ｈ、…の根元を結ぶ直線Ｚと平行となっている。
【０１８６】
図２１ａに示す櫛４０４は、櫛４０１において４５°であった角度αを７０°とした場合の１例を示すものである。すなわち、櫛４０４の歯Ｈ、Ｈ、…は、櫛４０４の長手方向に平行な直線を基線Ｘとした場合に、基線Ｘに対して任意の歯Ｈの長手方向の軸線Ｙが交差する際の鋭角の方の角度が角度αをなすように植設されており、櫛４０４にては角度αは全ての歯Ｈ、Ｈ、…について等しく７０°である。なお、基線Ｘは、櫛４０４においては、櫛４０１と同様に作用部４０４Ｆの後部の数本を除く大部分の歯Ｈ、Ｈ、…の先端を結ぶ直線として構成されるものであり、この基線Ｘは、また歯Ｈ、Ｈ、…の根元を結ぶ直線Ｚと平行となっている。
【０１８７】
図２１ｂに示す櫛４０５は、櫛４０１において４５°であった角度αを５５°とした場合の１例を示すものである。すなわち、櫛４０５の歯Ｈ、Ｈ、…は、櫛４０５の長手方向に平行な直線を基線Ｘとした場合に、基線Ｘに対して任意の歯Ｈの長手方向の軸線Ｙが交差する際の鋭角の方の角度が角度αをなすように植設されており、櫛４０５にては角度αは全ての歯Ｈ、Ｈ、…について等しく５５°である。なお、基線Ｘは、櫛４０５においては、櫛４０１と同様に作用部４０５Ｆの後部の数本を除く大部分の歯Ｈ、Ｈ、…の先端を結ぶ直線として構成されるものであり、この基線Ｘは、また歯Ｈ、Ｈ、…の根元を結ぶ直線Ｚと平行となっている。
【０１８８】
図２２ａに示す櫛４０６は、櫛４０１において４５°であった角度αを９０°〜７０°の範囲で変化させた場合の１例を示すものである。すなわち、櫛４０４の歯Ｈ、Ｈ、…は、櫛４０４の長手方向に平行な直線を基線Ｘとした場合に、基線Ｘに対して任意の歯Ｈの長手方向の軸線Ｙが交差する際の鋭角の方の角度が角度αをなすように植設されており、櫛４０６にては角度αは最後端の歯Ｈにおける９０°から前方の歯Ｈに至るほど漸減し、最前端の歯Ｈにおいて７０°となる。なお、基線Ｘは、櫛４０６においては、櫛４０１と同様に作用部４０６Ｆの後部の数本を除く大部分の歯Ｈ、Ｈ、…の先端を結ぶ直線として構成されるものであり、この基線Ｘは、また歯Ｈ、Ｈ、…の根元を結ぶ直線Ｚと平行となっている。
【０１８９】
図２２ｂに示す櫛４０７は、櫛４０１において４５°であった角度αを６２°〜５５°の範囲で変化させた場合の１例を示すものである。すなわち、櫛４０７の歯Ｈ、Ｈ、…は、櫛４０７の長手方向に平行な直線を基線Ｘとした場合に、基線Ｘに対して任意の歯Ｈの長手方向の軸線Ｙが交差する際の鋭角の方の角度が角度αをなすように植設されており、櫛４０７にては角度αは最後端の歯Ｈにおける６２°から前方の歯Ｈに至るほど漸減し、最前端の歯Ｈにおいて５５°となる。なお、基線Ｘは、櫛４０７においては、櫛４０１と同様に作用部４０７Ｆの後部の数本を除く大部分の歯Ｈ、Ｈ、…の先端を結ぶ直線として構成されるものであり、この基線Ｘは、また歯Ｈ、Ｈ、…の根元を結ぶ直線Ｚと平行となっている。
【０１９０】
＜実施例４の作用＞
実施例４の１例として説明した上記櫛４０１〜４０７の作用は、実施例１の櫛１０１〜１１３の作用と同様であるので、詳細な説明は省略する。ただ、櫛４０１は、角度αが４５°であるので、櫛４０１の基線Ｘをパネルの短手方向に対して４５°とする理想的な方法（図示せず）でパネルを梳った場合に施術者（図示せず）の手に感じる抵抗感が最も小となる。
【０１９１】
したがって、櫛４０１はブラシｂｓを有する所謂「毛染め用櫛」において、実施例１の櫛１０１同様、櫛の基線をパネルの短手方向に対して４５°とする理想的な方法にてパネルを梳る理美容師（施術者）に対して最高の使い勝手を与える櫛となる。また、施術者自身が自らの櫛の基線が理想的な状態に保たれているかどうかを常にチェックできるモニター機能も有し、未熟練者においては、自らの櫛の基線を理想的な状態に近づけるための教育的意義も有するものである。
【０１９２】
また、櫛４０６、４０７においては、角度αが一定でなく、後部から全部に向かうにしたがって漸減するように構成されているが、この理由も、実施例１の櫛１１０〜１１３と同様である。
【産業上の利用可能性】
【０１９３】
本発明の頭髪用の櫛は、叙上の説明で明らかなように、理美容師に対して従来の櫛を遥かに凌駕する滑らかな使用感のある櫛を提供できるのみならず、理美容師の一人一人の個性に合わせた最高の使用感を生む櫛を提供できるものである。また、理美容師が作業中に、自らの櫛の角度が理想とする角度からどれだけ外れているかをモニターできるモニター機能を有し、さらに、未熟練者においては、自らの櫛の角度を理想とする角度に整えていくという教育的機能も併せ持っている。したがって、本発明の頭髪用の櫛は、理美容業界において今後幅広く普及していく可能性を有するものである。
【０１９４】
実施例としては、所謂「荒櫛」、細身と背が丸みを帯びた２種類の「カッティングコーム」、「毛染め用櫛」の４種類をとりあげたが、本発明の頭髪用の櫛は、上記４種類に留まらず、理美容業界において用いられるあらゆるタイプの櫛において実現される得るものであることはいうまでもないことである。
【図面の簡単な説明】
【０１９５】
【図１】（ａ）本発明の実施例１の頭髪用の櫛の１例の右側面図である。（ｂ）本発明の実施例１の頭髪用の櫛の１例の正面図である。
【図２】（ａ）本発明の実施例１の頭髪用の櫛の別の１例の右側面図である。（ｂ）本発明の実施例１の頭髪用の櫛の別の１例の右側面図である。
【図３】（ａ）本発明の実施例１の頭髪用の櫛の別の１例の右側面図である。（ｂ）本発明の実施例１の頭髪用の櫛の別の１例の右側面図である。
【図４】（ａ）本発明の実施例１の頭髪用の櫛の別の１例の右側面図である。（ｂ）本発明の実施例１の頭髪用の櫛の別の１例の右側面図である。
【図５】（ａ）本発明の実施例１の頭髪用の櫛の別の１例の右側面図である。（ｂ）本発明の実施例１の頭髪用の櫛の別の１例の右側面図である。
【図６】（ａ）本発明の実施例１の頭髪用の櫛の別の１例の右側面図である。（ｂ）本発明の実施例１の頭髪用の櫛の別の１例の右側面図である。
【図７】（ａ）本発明の実施例１の頭髪用の櫛の別の１例の右側面図である。（ｂ）本発明の実施例１の頭髪用の櫛の別の１例の右側面図である。
【図８】（ａ）本発明の実施例２の頭髪用の櫛の１例の右側面図である。（ｂ）本発明の実施例２の頭髪用の櫛の１例の正面図である。
【図９】（ａ）本発明の実施例２の頭髪用の櫛の別の１例の右側面図である。（ｂ）本発明の実施例２の頭髪用の櫛の別の１例の右側面図である。
【図１０】（ａ）本発明の実施例２の頭髪用の櫛の別の１例の右側面図である。（ｂ）本発明の実施例２の頭髪用の櫛の別の１例の右側面図である。
【図１１】（ａ）本発明の実施例２の頭髪用の櫛の別の１例の右側面図である。（ｂ）本発明の実施例２の頭髪用の櫛の別の１例の右側面図である。
【図１２】（ａ）本発明の実施例２の頭髪用の櫛の別の１例の右側面図である。（ｂ）本発明の実施例２の頭髪用の櫛の別の１例の右側面図である。
【図１３】（ａ）本発明の実施例２の頭髪用の櫛の別の１例の右側面図である。（ｂ）本発明の実施例２の頭髪用の櫛の別の１例の右側面図である。
【図１４】（ａ）本発明の実施例３の頭髪用の櫛の１例の右側面図である。（ｂ）本発明の実施例３の頭髪用の櫛の１例の正面図である。
【図１５】（ａ）本発明の実施例３の頭髪用の櫛の別の１例の右側面図である。（ｂ）本発明の実施例３の頭髪用の櫛の別の１例の右側面図である。
【図１６】（ａ）本発明の実施例３の頭髪用の櫛の別の１例の右側面図である。（ｂ）本発明の実施例３の頭髪用の櫛の別の１例の右側面図である。
【図１７】（ａ）本発明の実施例３の頭髪用の櫛の別の１例の右側面図である。（ｂ）本発明の実施例３の頭髪用の櫛の別の１例の右側面図である。
【図１８】（ａ）本発明の実施例３の頭髪用の櫛の別の１例の右側面図である。（ｂ）本発明の実施例３の頭髪用の櫛の別の１例の右側面図である。
【図１９】（ａ）本発明の実施例４の頭髪用の櫛の１例の右側面図である。（ｂ）本発明の実施例４の頭髪用の櫛の１例の正面図である。
【図２０】（ａ）本発明の実施例４の頭髪用の櫛の別の１例の右側面図である。（ｂ）本発明の実施例４の頭髪用の櫛の別の１例の右側面図である。
【図２１】（ａ）本発明の実施例４の頭髪用の櫛の別の１例の右側面図である。（ｂ）本発明の実施例４の頭髪用の櫛の別の１例の右側面図である。
【図２２】（ａ）本発明の実施例４の頭髪用の櫛の別の１例の右側面図である。（ｂ）本発明の実施例４の頭髪用の櫛の別の１例の右側面図である。
【図２３】本発明の実施例１の頭髪用の櫛の作用を説明する説明図である。
【図２４】（ａ）本発明の実施例１の頭髪用の櫛の作用を説明する説明図である。（ｂ）本発明の実施例１の頭髪用の櫛の作用を説明する説明図である。
【図２５】（ａ）本発明の実施例１の頭髪用の櫛の作用を説明する説明図である。（ｂ）本発明の実施例１の頭髪用の櫛の作用を説明する説明図である。
【図２６】本発明の実施例１の頭髪用の櫛の作用を説明する説明図である。
【図２７】本発明の実施例１の頭髪用の櫛の作用を説明する説明図である。
【図２８】本発明の実施例１の頭髪用の櫛の作用を説明する説明図である。
【図２９】（ａ）従来の頭髪用の櫛の１例の右側面図である。（ｂ）従来の頭髪用の櫛の１例の正面図である。
【図３０】（ａ）従来の頭髪用の櫛の別の１例の右側面図である。    （ｂ）従来の頭髪用の櫛の別の１例の右側面図である。
【図３１】（ａ）従来の頭髪用の櫛の別の１例の右側面図である。（ｂ）従来の頭髪用の櫛の別の１例の正面図である。
【図３２】（ａ）従来の頭髪用の櫛の１例の作用を説明する説明図である。    （ｂ）頭髪のパネルの取り方を説明する説明図である。
【図３３】（ａ）従来の頭髪用の櫛の１例の作用を説明する説明図である。    （ｂ）従来の頭髪用の櫛の１例の作用を説明する説明図である。
【図３４】従来の頭髪用の櫛の１例の作用を説明する説明図である。
【図３５】従来の頭髪用の櫛の１例の作用を説明する説明図である。
【図３６】従来の頭髪用の櫛の１例の作用を説明する説明図である。
【符号の説明】
【０１９６】
１０１  櫛
１０１Ｆ  作用部
１０１Ｇ  柄部
１０１ａ  前端下部
１０１ｂ  後端下部
１０２    櫛
１０２Ｆ  作用部
１０２Ｇ  柄部
１０２ａ  前端下部
１０２ｂ  後端下部
１０３    櫛
１０３Ｆ  作用部
１０３Ｇ  柄部
１０３ａ  前端下部
１０３ｂ  後端下部
１０４    櫛
１０４Ｆ  作用部
１０４Ｇ  柄部
１０４ａ  前端下部
１０４ｂ  後端下部
１０５    櫛
１０５Ｆ  作用部
１０５Ｇ  柄部
１０５ａ  前端下部
１０５ｂ  後端下部
１０６    櫛
１０６Ｆ  作用部
１０６Ｇ  柄部
１０６ａ  前端下部
１０６ｂ  後端下部
１０７    櫛
１０７Ｆ  作用部
１０７Ｇ  柄部
１０７ａ  前端下部
１０７ｂ  後端下部
１０８    櫛
１０８Ｆ  作用部
１０８Ｇ  柄部
１０８ａ  前端下部
１０８ｂ  後端下部
１０９    櫛
１０９Ｆ  作用部
１０９Ｇ  柄部
１０９ａ  前端下部
１０９ｂ  後端下部
１１０    櫛
１１０Ｆ  作用部
１１０Ｇ  柄部
１１０ａ  前端下部
１１０ｂ  後端下部
１１１    櫛
１１１Ｆ  作用部
１１１Ｇ  柄部
１１１ａ  前端下部
１１１ｂ  後端下部
１１２    櫛
１１２Ｆ  作用部
１１２Ｇ  柄部
１１２ａ  前端下部
１１２ｂ  後端下部
１１３    櫛
１１３Ｆ  作用部
１１３Ｇ  柄部
１１３ａ  前端下部
１１３ｂ  後端下部
２０１  櫛
２０１Ｄ  密歯部
２０１Ｇ  把持部
２０１Ｒ  疎歯部
２０１ａ  前端下部
２０１ｂ  後端下部
２０２  櫛
２０２Ｄ  密歯部
２０２Ｇ  把持部
２０２Ｒ  疎歯部
２０２ａ  前端下部
２０２ｂ  後端下部
２０３  櫛
２０３Ｄ  密歯部
２０３Ｇ  把持部
２０３Ｒ  疎歯部
２０３ａ  前端下部
２０３ｂ  後端下部
２０４  櫛
２０４Ｄ  密歯部
２０４Ｇ  把持部
２０４Ｒ  疎歯部
２０４ａ  前端下部
２０４ｂ  後端下部
２０５  櫛
２０５Ｄ  密歯部
２０５Ｇ  把持部
２０５Ｒ  疎歯部
２０５ａ  前端下部
２０５ｂ  後端下部
２０６  櫛
２０６Ｄ  密歯部
２０６Ｒ  疎歯部
２０６ａ  前端下部
２０６ｂ  後端下部
２０７  櫛
２０７Ｄ  密歯部
２０７Ｒ  疎歯部
２０７ａ  前端下部
２０７ｂ  後端下部
２０８  櫛
２０８Ｄ  密歯部
２０８Ｒ  疎歯部
２０８ａ  前端下部
２０８ｂ  後端下部
２０９  櫛
２０９Ｄ  密歯部
２０９Ｒ  疎歯部
２０９ａ  前端下部
２０９ｂ  後端下部
２１０  櫛
２１０Ｄ  密歯部
２１０Ｇ  把持部
２１０Ｒ  疎歯部
２１０ａ  前端下部
２１０ｂ  後端下部
２１１  櫛
２１１Ｄ  密歯部
２１１Ｇ  把持部
２１１Ｒ  疎歯部
２１１ａ  前端下部
２１１ｂ  後端下部
３０１  櫛
３０１Ｄ  密歯部
３０１Ｇ  把持部
２０１Ｒ  疎歯部
３０１ａ  前端下部
３０１ｂ  後端下部
３０２  櫛
３０２Ｄ  密歯部
３０２Ｇ  把持部
３０２Ｒ  疎歯部
３０２ａ  前端下部
３０２ｂ  後端下部
３０３  櫛
３０３Ｄ  密歯部
３０３Ｇ  把持部
３０３Ｒ  疎歯部
３０３ａ  前端下部
３０３ｂ  後端下部
３０４  櫛
３０４Ｄ  密歯部
３０４Ｇ  把持部
３０４Ｒ  疎歯部
３０４ａ  前端下部
３０４ｂ  後端下部
３０５  櫛
３０５Ｄ  密歯部
３０５Ｇ  把持部
３０５Ｒ  疎歯部
３０５ａ  前端下部
３０５ｂ  後端下部
３０６  櫛
３０６Ｄ  密歯部
３０６Ｒ  疎歯部
３０６ａ  前端下部
３０６ｂ  後端下部
３０７Ｒ  疎歯部
３０７ａ  前端下部
３０７ｂ  後端下部
３０８  櫛
３０８Ｄ  密歯部
３０８Ｇ  把持部
３０８Ｒ  疎歯部
３０８ａ  前端下部
３０８ｂ  後端下部
３０９  櫛
３０９Ｄ  密歯部
３０９Ｇ  把持部
３０９Ｒ  疎歯部
３０９ａ  前端下部
３０９ｂ  後端下部
４０１    櫛
４０１Ｆ  作用部
４０１Ｇ  柄部
４０２    櫛
４０２Ｆ  作用部
４０２Ｇ  柄部
４０３    櫛
４０３Ｆ  作用部
４０３Ｇ  柄部
４０４    櫛
４０４Ｆ  作用部
４０４Ｇ  柄部
４０５    櫛
４０５Ｆ  作用部
４０５Ｇ  柄部
４０６    櫛
４０６Ｆ  作用部
４０６Ｇ  柄部
４０７    櫛
４０７Ｆ  作用部
４０７Ｇ  柄部
ＡＣ    施術者
Ｈ      歯
ＨＤ    歯
ＨＤａ  歯
ＨＤｂ  歯
ＨＲ    歯
ＨＲａ  歯
ＨＲｂ  歯
ＨＺ    凹部
Ｈａ    歯
Ｈｂ    歯
Ｈｂａ  端点
Ｈｂｂ  平面
Ｈｃ    歯
Ｈｄ    歯
Ｈｅ    歯
Ｈｆ    歯
Ｐ      パネル
ＰＡ    被術者
ＰＬ１  平面
ＰＬ２  平面
ＰＬ３  平面
Ｌ１    直線
Ｌ２    直線
Ｌ３    直線
Ｌ４    直線
Ｌ５    直線
ＬＨ    左手
ＲＨ    右手
Ｘ      基線
Ｙ      軸線
Ｙ１    軸線
Ｙ２    軸線
Ｚ      直線
ａ      櫛
ａｆ    作用部
ａｆａ  前端下部
ａｆｇ  後端下部
ａｇ    柄部
ｂ      櫛
ｂ１    前端下部
ｂ２    後端下部
ｂｄ    密歯部
ｂｒ    疎歯部
ｂｓ    ブラシ
ｃ      櫛
ｃ１    前端下部
ｃ２    後端下部
ｃｄ    密歯部
ｃｒ    疎歯部
ｄ      櫛
ｄ１    方向
ｄ２    方向
ｄ２ａ  射影
ｄ３    方向
ｄｆ    作用部
ｄｇ    柄部
ｈ      歯
ｈ１    歯
ｈ２    歯
ｈａ    歯
ｈｂ    歯
ｈｃ    歯
ｈｄ    歯
ｈｅ    歯
ｈｇ    歯
ｈｉ    歯
ｈｆ    歯
ｈｇ    歯
ｈｈ    歯
ｈｚ    凹部
ｐ      頭髪
ｘ      基線
ｙ      軸線
ｙ１    軸線
ｙ２    軸線
ｚ      直線
α      角度
β      角度
θ１    角度
θ２    角度
θ３    角度
θ４    角度
θ５    角度
η１    角度
η２    角度
η３    角度
【図１】
2007020692.tif 000003
【図２】
2007020692.tif 000004
【図３】
2007020692.tif 000005
【図４】
2007020692.tif 000006
【図５】
2007020692.tif 000007
【図６】
2007020692.tif 000008
【図７】
2007020692.tif 000009
【図８】
2007020692.tif 000010
【図９】
2007020692.tif 000011
【図１０】
2007020692.tif 000012
【図１１】
2007020692.tif 000013
【図１２】
2007020692.tif 000014
【図１３】
2007020692.tif 000015
【図１４】
2007020692.tif 000016
【図１５】
2007020692.tif 000017
【図１６】
2007020692.tif 000018
【図１７】
2007020692.tif 000019
【図１８】
2007020692.tif 000020
【図１９】
2007020692.tif 000021
【図２０】
2007020692.tif 000022
【図２１】
2007020692.tif 000023
【図２２】
2007020692.tif 000024
【図２３】
2007020692.tif 000025
【図２４】
2007020692.tif 000026
【図２５】
2007020692.tif 000027
【図２６】
2007020692.tif 000028
【図２７】
2007020692.tif 000029
【図２８】
2007020692.tif 000030
【図２９】
2007020692.tif 000031
【図３０】
2007020692.tif 000032
【図３１】
2007020692.tif 000033
【図３２】
2007020692.tif 000034
【図３３】
2007020692.tif 000035
【図３４】
2007020692.tif 000036
【図３５】
2007020692.tif 000037
【図３６】
2007020692.tif 000038